(57)【要約】【課題】入力された複数の原稿画像に対して、利用者が複数の原稿画像の天地方向を簡単に確認できる画像処理装置を実現する。【解決手段】本発明の画像処理装置１０は、各原稿画像に含まれる情報画像の天地方向を基準とした所定の方向を第１基準方向としたとき、各原稿画像における所定の複数の方向の各々について、当該方向が当該原稿画像の上記第１基準方向に一致することの確実性の度合を示した確度を決定する確度決定部２１と、上記確度が最も高い方向が同一である原稿画像が同一のグループに属するように、各原稿画像をグループ分けし、上記グループ毎に当該グループに含まれる原稿画像を示すプレビュー画像を表示装置１１に表示する表示制御部２２とを備え、一つのグループに含まれる原稿画像が複数ある場合、当該グループに含まれる複数の原稿画像を示すプレビュー画像を表示する。故に利用者が複数の原稿画像の天地方向を容易に確認できる。【選択図】図１
2010124068.tif 000002
【特許請求の範囲】
【請求項１】
入力された画像データに含まれる複数の原稿画像を処理する画像処理装置において、
上記原稿画像には、利用者に対して情報を示す情報画像が含まれており、各原稿画像について、当該原稿画像に含まれる情報画像の天地方向を基準とした所定の方向を第１基準方向としたとき、
各原稿画像における所定の複数の方向の各々について、当該方向が当該原稿画像の上記第１基準方向に一致することの確実性の度合を示した確度を決定する確度決定部と、
上記確度が最も高い方向が同一である原稿画像が同一のグループに属するように、各原稿画像をグループ分けし、上記グループ毎に当該グループに含まれる原稿画像を示すプレビュー画像を表示装置に表示する表示制御部とを備え、
上記表示制御部は、一つのグループに含まれる原稿画像が複数ある場合、当該グループに含まれる複数の原稿画像を示すプレビュー画像を表示装置に表示することを特徴とする画像処理装置。
【請求項２】
入力された画像データに含まれる複数の原稿画像を処理する画像処理装置において、
上記原稿画像には、利用者に対して情報を示す情報画像が含まれており、各原稿画像について、当該原稿画像に含まれる情報画像の天地方向を基準とした所定の方向を第１基準方向としたとき、
各原稿画像における所定の複数の方向の各々について、当該方向が当該原稿画像の上記第１基準方向に一致することの確実性の度合を示した確度を決定する確度決定部と、
各原稿画像について、上記複数の方向に対応する上記確度の中の最も高い確度を示す確度値を、第１閾値と比較し、上記最も高い確度が第１閾値で表される基準より低いという第１条件を判定する判定部と、
第１条件を満たすと判定された原稿画像について、上記確度が最も高い方向が同一である原稿画像が同一のグループに属するように、各原稿画像をグループ分けし、上記グループ毎に当該グループに含まれる原稿画像を示すプレビュー画像を表示装置に表示する表示制御部とを備え、
上記表示制御部は、一つのグループに含まれる原稿画像が複数ある場合、当該グループに含まれる複数の原稿画像を示すプレビュー画像を表示装置に表示することを特徴とする画像処理装置。
【請求項３】
入力された画像データに含まれる複数の原稿画像を処理する画像処理装置において、
上記原稿画像には、利用者に対して情報を示す情報画像が含まれており、各原稿画像について、当該原稿画像に含まれる情報画像の天地方向を基準とした所定の方向を第１基準方向としたとき、
各原稿画像における所定の複数の方向の各々について、当該方向が当該原稿画像の上記第１基準方向に一致することの確実性の度合を示した確度を決定する確度決定部と、
各原稿画像について、上記複数の方向に対応する上記確度の中の最も高い確度を示す確度値と２番目に高い確度を示す確度値との差分パラメータを、第２閾値と比較し、上記差分パラメータが第２閾値以下であるという第２条件を判定する判定部と、
第２条件を満たすと判定された原稿画像について、上記確度が最も高い方向が同一である原稿画像が同一のグループに属するように、各原稿画像をグループ分けし、上記グループ毎に当該グループに含まれる原稿画像を示すプレビュー画像を表示装置に表示する表示制御部とを備え、
上記表示制御部は、一つのグループに含まれる原稿画像が複数ある場合、当該グループに含まれる複数の原稿画像を示すプレビュー画像を表示装置に表示することを特徴とする画像処理装置。
【請求項４】
入力された画像データに含まれる複数の原稿画像を処理する画像処理装置において、
上記原稿画像には、利用者に対して情報を示す情報画像が含まれており、各原稿画像について、当該原稿画像に含まれる情報画像の天地方向を基準とした所定の方向を第１基準方向としたとき、
各原稿画像における所定の複数の方向の各々について、当該方向が当該原稿画像の上記第１基準方向に一致することの確実性の度合を示した確度を決定する確度決定部と、
各原稿画像について、上記複数の方向に対応する上記確度の中の最も高い確度を示す確度値を、第１閾値と比較し、上記最も高い確度が第１閾値で表される基準より低いという第１条件、および、上記複数の方向に対応する上記確度の中の最も高い確度を示す確度値と２番目に高い確度を示す確度値との差分パラメータを、第２閾値と比較し、上記差分パラメータが第２閾値以下であるという第２条件を判定する判定部と、
第１条件および第２条件のいずれかを満たすと判定された原稿画像について、上記確度が最も高い方向が同一である原稿画像が同一のグループに属するように、各原稿画像をグループ分けし、上記グループ毎に当該グループに含まれる原稿画像を示すプレビュー画像を表示装置に表示する表示制御部とを備え、
上記表示制御部は、一つのグループに含まれる原稿画像が複数ある場合、当該グループに含まれる複数の原稿画像を示すプレビュー画像を表示装置に表示することを特徴とする画像処理装置。
【請求項５】
上記プレビュー画像が表示されているときに受け付けた処理指示に基づいて、上記プレビュー画像に示される原稿画像に対して所定の処理を施す処理部をさらに備えることを特徴とする請求項１から４のいずれか一項に記載の画像処理装置。
【請求項６】
上記表示制御部は、上記原稿画像を選択するための画像選択標識を上記原稿画像毎に生成し、上記プレビュー画像は、当該プレビュー画像に含まれる原稿画像と当該原稿画像に対応する画像選択標識とを示し、
上記処理部は、上記画像選択標識を選択する指示を受け付け、上記画像選択標識の選択と上記処理指示とが入力されると、上記選択された原稿画像に対して上記処理指示に基づいた同一の処理を施すことを特徴とする請求項５に記載の画像処理装置。
【請求項７】
上記プレビュー画像は、上記原稿画像と当該原稿画像に対応する画像選択標識とを重ねて示すことを特徴とする請求項６に記載の画像処理装置。
【請求項８】
上記処理指示は、上記原稿画像の回転指示であり、
上記処理部は、上記回転指示に従って上記原稿画像に回転処理を施すことを特徴とする請求項５から７のいずれか一項に記載の画像処理装置。
【請求項９】
各原稿画像について同一の方向であり、上記原稿画像の天地方向を基準とした所定の方向を第２基準方向としたとき、
上記処理指示は、上記原稿画像における上記複数の方向からいずれか１つの方向を指定方向として指定する回転指示であり、
上記処理部は、上記回転指示に基づき、当該指定方向と上記第２基準方向とのなす角度だけ回転するように、上記原稿画像に対して回転処理を施すことを特徴とする請求項５から７のいずれか一項に記載の画像処理装置。
【請求項１０】
上記表示装置はタッチパネルを備え、利用者は上記タッチパネルより上記画像選択標識の選択ができることを特徴とする請求項６または７に記載の画像処理装置。
【請求項１１】
上記表示制御部は、各原稿画像について、当該原稿画像の上記複数の方向を示す方向識別標識を上記方向毎に、当該原稿画像の当該方向に対応する上記確度に応じた表示形態で生成し、上記プレビュー画像において、当該プレビュー画像に含まれる原稿画像と当該原稿画像に対応する各方向識別標識とを重ねて表示することを特徴とする請求項１から１０のいずれか一項に記載の画像処理装置。
【請求項１２】
上記表示制御部は、各原稿画像について、当該原稿画像の上記複数の方向を示す方向識別標識を上記方向毎に、当該原稿画像の当該方向に対応する上記確度に応じた表示形態で生成し、上記プレビュー画像において、当該プレビュー画像に含まれる原稿画像と当該原稿画像に対応する各方向識別標識とを重ねて表示し、
上記処理部は、上記方向識別標識のいずれか１つを選択する指示を上記処理指示として受けつけ、選択された方向識別標識に対応する方向を上記指定方向とすることを特徴とする請求項９に記載の画像処理装置。
【請求項１３】
上記表示制御部は、上記方向識別標識が示す方向に対応する上記確度に基づいて、各方向識別標識の色を決定することを特徴とする請求項１１または１２に記載の画像処理装置。
【請求項１４】
上記表示制御部は、上記方向識別標識が示す方向に対応する上記確度に基づいて、各方向識別標識の大きさを決定することを特徴とする請求項１１から１３のいずれか一項に記載の画像処理装置。
【請求項１５】
請求項１から１４のいずれか一項に記載の画像処理装置を備えることを特徴とする画像形成装置。
【請求項１６】
請求項１から１４のいずれか一項に記載の画像処理装置を備えることを特徴とする画像読取装置。
【請求項１７】
請求項１から１４のいずれか一項に記載の画像処理装置を制御する制御プログラムであり、コンピュータを上記画像処理装置の各部として動作させる制御プログラム。
【請求項１８】
請求項１７に記載の制御プログラムを記録したコンピュータ読取可能な記録媒体。
【請求項１９】
入力された画像データに含まれる複数の原稿画像を処理する画像処理装置の制御方法であって、
上記原稿画像には、利用者に対して情報を示す情報画像が含まれており、各原稿画像について、当該原稿画像に含まれる情報画像の天地方向を基準とした所定の方向を第１基準方向としたとき、
各原稿画像における所定の複数の方向の各々について、当該方向が当該原稿画像の上記第１基準方向に一致することの確実性の度合を示した確度を決定する確度決定工程と、
上記確度が最も高い方向が同一である原稿画像が同一のグループに属するように、各原稿画像をグループ分けし、上記グループ毎に当該グループに含まれる原稿画像を示すプレビュー画像を表示装置に表示する表示制御工程とを含み、
上記表示制御工程では、一つのグループに含まれる原稿画像が複数ある場合、当該グループに含まれる複数の原稿画像を示すプレビュー画像を表示装置に表示することを特徴とする画像処理装置の制御方法。
【発明の詳細な説明】
【技術分野】
【０００１】
本発明は、サムネイル用の画像データやプレビュー用の画像データを処理する画像処理装置に関するものである。
【背景技術】
【０００２】
複写機や複合機等の画像形成装置においては、画像処理の施された読取画像をプリントする前に、利用者によって設定された処理条件に応じて当該読取画像に示されている原稿像のプレビューを表示することがなされている。そして、複数の原稿が読み込まれた場合、原稿１枚毎にプレビューが表示される場合と、複数原稿について一括してプレビューが表示される場合とがある。尚、上記処理条件には、原稿の種類、プリント濃度、変倍処理を行う際の倍率、片面印刷または両面印刷、余白サイズ等がある。
【０００３】
また、以下に示す特許文献１には、原稿像の示されたプレビューを表示することによって原稿像を利用者に確認させ、回転処理のコマンドおよび回転角度の入力を受け付ける画像形成装置が示されている。また、この画像形成装置では、回転処理のコマンドおよび回転角度を入力するための確認アイコンが表示されており、利用者は確認アイコンをクリックすることによって回転処理のコマンドおよび回転角度を入力するようになっている。尚、設定可能な回転角度は、０°、９０°、１８０°および２７０°である。さらに、特許文献１の画像形成装置において、回転処理の回転方向は時計回りの方向であり、利用者は、原稿像の示された原稿画像（読取画像）を時計回りに直角に回転させたい場合に９０°を設定し、回転させない場合に０度を設定するようになっている。
【０００４】
そして、特許文献１の画像形成装置によれば、利用者から回転処理のコマンドを受け付けると、原稿像の示された原稿画像（読取画像）に対して回転処理を施し、回転処理後にプレビューを再度表示する点が示されている。また、特許文献１には、複数の原稿像の一覧を表示し、複数の原稿像に関して一括して回転処理を行う点が示されている。さらに、特許文献１には、原稿像の天地方向を自動判定し、自動判定された天地方向に基づいて回転させたプレビューを表示する点が示されている。
【０００５】
非特許文献１には、ディスプレイに表示されている画像を直感的な操作によって回転させる技術が公開されている。これによると、利用者がタッチパネルになっているディスプレイを指等で縦になぞると、ディスプレイに表示された画像が回転される。
【特許文献１】特開２００７−２００２８０号公報（２００７年８月９日公開）
【特許文献２】特開平６−１８９０８３号公報（平成６年７月８日公開）
【非特許文献１】Ｓ２Ｖ、[online]、ウィルコム ファンサイト、[平成２０年５月２３日検索]、インターネット（http://www.willcom-fan.com/wzero3/entries/memn0ck/000431/）
【発明の開示】
【発明が解決しようとする課題】
【０００６】
しかしながら、上記従来の構成では、下記の問題を生じる。
【０００７】
特許文献１の構成では、設定可能な回転角度を原稿像のプレビューと共にモニタに表示しているだけであるため、モニタを一目しただけでは、利用者は原稿像の天地方向の判断を行うことが容易ではない場合がある。例えば、上記モニタが小型であるときや、原稿像のサイズが小さいとき、利用者は、原稿像に示される文字の方向の識別が容易でないため、原稿像の天地方向の判断を行うことが容易ではない。複数の原稿像が一覧表示される場合は、さらに個々の原稿像が小さく表示されるため、原稿像の天地方向の判断はより困難になる。また、原稿画像の天地方向が揃っていない場合は、複数の原稿像を一覧表示したとしても、原稿画像を回転させるべき方向が原稿画像毎に異なるので、利用者は一括して原稿画像を回転させる指示を与えることができない。
【０００８】
非特許文献１の構成では、複数の画像について回転処理を行う場合、利用者はそれぞれの原稿に対して回転指示のための操作を行う必要があり、手間がかかる。
【０００９】
本発明は、上記の問題点に鑑みてなされたものであり、その目的は、入力された複数の原稿画像に対して、利用者が複数の原稿画像の天地方向を簡単に確認できる画像処理装置を実現することにある。
【課題を解決するための手段】
【００１０】
本発明に係る画像処理装置は、上記課題を解決するために、入力された画像データに含まれる複数の原稿画像を処理する画像処理装置であって、上記原稿画像には、利用者に対して情報を示す情報画像が含まれており、各原稿画像について、当該原稿画像に含まれる情報画像の天地方向を基準とした所定の方向を第１基準方向としたとき、各原稿画像における所定の複数の方向の各々について、当該方向が当該原稿画像の上記第１基準方向に一致することの確実性の度合を示した確度を決定する確度決定部と、上記確度が最も高い方向が同一である原稿画像が同一のグループに属するように、各原稿画像をグループ分けし、上記グループ毎に当該グループに含まれる原稿画像を示すプレビュー画像を表示装置に表示する表示制御部とを備え、上記表示制御部は、一つのグループに含まれる原稿画像が複数ある場合、当該グループに含まれる複数の原稿画像を示すプレビュー画像を表示装置に表示することを特徴とする。
【００１１】
上記の構成によれば、複数の原稿画像を処理する場合、確度が最も高い方向が同じである原稿画像毎にグループ分けし、グループ毎に原稿画像のプレビュー表示を確認できるため、あるプレビュー画像に示される複数の原稿画像はそれらの第１基準方向が一致している可能性が高い。プレビュー画像に示される原稿画像の中で、多くの原稿画像の第１基準方向が揃っていると、たとえプレビュー画像が小さくとも、プレビュー画像に示される原稿画像の中にある第１基準方向が他とは異なる原稿画像は目立つので、利用者が第１基準方向が他とは異なる原稿画像を発見しやすい。そのため、入力された画像データの複数の原稿画像に対して、利用者が複数の原稿画像の天地方向を容易に確認できる。
【００１２】
ここで、情報画像の天地方向を基準とした所定の方向とは、情報画像の例えば中心から放射状に延びる方向のうちの予め定められた一つの方向である。例えば、情報画像の中心から、当該情報画像の上下左右のいずれかに延びる方向である。
【００１３】
本発明に係る画像処理装置は、入力された画像データに含まれる複数の原稿画像を処理する画像処理装置であって、上記原稿画像には、利用者に対して情報を示す情報画像が含まれており、各原稿画像について、当該原稿画像に含まれる情報画像の天地方向を基準とした所定の方向を第１基準方向としたとき、各原稿画像における所定の複数の方向の各々について、当該方向が当該原稿画像の上記第１基準方向に一致することの確実性の度合を示した確度を決定する確度決定部と、各原稿画像について、上記複数の方向に対応する上記確度の中の最も高い確度を示す確度値を、第１閾値と比較し、上記最も高い確度が第１閾値で表される基準より低いという第１条件を判定する判定部と、第１条件を満たすと判定された原稿画像について、上記確度が最も高い方向が同一である原稿画像が同一のグループに属するように、各原稿画像をグループ分けし、上記グループ毎に当該グループに含まれる原稿画像を示すプレビュー画像を表示装置に表示する表示制御部とを備え、上記表示制御部は、一つのグループに含まれる原稿画像が複数ある場合、当該グループに含まれる複数の原稿画像を示すプレビュー画像を表示装置に表示することを特徴とする。
【００１４】
上記の構成によれば、複数の原稿画像を処理する場合、最も高い確度が第１閾値より大きい原稿画像は、画像処理装置によって当該原稿画像内の情報画像の天地方向を精度良く認識できていることを意味しており、当該原稿画像については、例えば上記画像処理装置によって自動的に当該原稿画像の上記確度が最も高い方向に基づいた処理を施すことができる。上記確度が最も高い方向に基づいた処理とは、例えば上記確度が最も高い方向が所定の方向に向くような回転処理等である。また、上記の処理は上記画像処理装置に接続され、画像データおよび判定結果等を受け取る別の処理装置（例えば、サーバ）によって行われてもよい。そのため、上記確度が最も高い方向が第１基準方向である可能性が高い原稿画像について利用者が処理を施す手間を軽減することができる。また、最大の確度値が第１閾値以下である原稿画像について、確度が最も高い方向が同じである原稿画像毎にグループ分けし、グループ毎に原稿画像のプレビュー表示を確認できるため、利用者が確認すべき原稿画像の数が減るので、プレビュー画像に示された複数の原稿画像を確認することが容易になる。また、最大の確度値が第１閾値以下である原稿画像については利用者が確認するようになっているので、原稿画像に誤った処理を自動で施してしまうという問題を回避できる。
【００１５】
本発明に係る画像処理装置は、入力された画像データに含まれる複数の原稿画像を処理する画像処理装置であって、上記原稿画像には、利用者に対して情報を示す情報画像が含まれており、各原稿画像について、当該原稿画像に含まれる情報画像の天地方向を基準とした所定の方向を第１基準方向としたとき、各原稿画像における所定の複数の方向の各々について、当該方向が当該原稿画像の上記第１基準方向に一致することの確実性の度合を示した確度を決定する確度決定部と、各原稿画像について、上記複数の方向に対応する上記確度の中の最も高い確度を示す確度値と２番目に高い確度を示す確度値との差分パラメータを、第２閾値と比較し、上記差分パラメータが第２閾値以下であるという第２条件を判定する判定部と、第２条件を満たすと判定された原稿画像について、上記確度が最も高い方向が同一である原稿画像が同一のグループに属するように、各原稿画像をグループ分けし、上記グループ毎に当該グループに含まれる原稿画像を示すプレビュー画像を表示装置に表示する表示制御部とを備え、上記表示制御部は、一つのグループに含まれる原稿画像が複数ある場合、当該グループに含まれる複数の原稿画像を示すプレビュー画像を表示装置に表示することを特徴とする。
【００１６】
上記の構成によれば、複数の原稿画像を処理する場合、上記確度の中の最も高い確度と２番目に高い確度との差分パラメータが第２閾値より大きい原稿画像は、画像処理装置によって当該原稿画像内の情報画像の天地方向を精度良く認識できていることを意味しており、当該原稿画像については、例えば上記画像処理装置によって自動的に当該原稿画像の上記確度が最も高い方向に基づいた処理を施すことができる。上記確度が最も高い方向に基づいた処理とは、例えば上記確度が最も高い方向が所定の方向に向くような回転処理等である。また、上記の処理は上記画像処理装置に接続され、画像データおよび判定結果を受け取る別の処理装置（例えば、サーバ）によって行われてもよい。そのため、上記確度が最も高い方向が第１基準方向である可能性が高い原稿画像について利用者が処理を施す手間を軽減することができる。また、上記確度の中の最も高い確度と２番目に高い確度との差分パラメータが第２閾値以下である原稿画像について、確度が最も高い方向が同じである原稿画像毎にグループ分けし、グループ毎に原稿画像のプレビュー表示を確認できるため、利用者が確認すべき原稿画像の数が減るので、プレビュー画像に示された複数の原稿画像を確認することが容易になる。また、上記差分パラメータが第２閾値以下である原稿画像については利用者が確認するようになっているので、原稿画像に誤った処理を自動で施してしまうという問題を回避できる。
【００１７】
本発明に係る画像処理装置は、入力された画像データに含まれる複数の原稿画像を処理する画像処理装置であって、上記原稿画像には、利用者に対して情報を示す情報画像が含まれており、各原稿画像について、当該原稿画像に含まれる情報画像の天地方向を基準とした所定の方向を第１基準方向としたとき、各原稿画像における所定の複数の方向の各々について、当該方向が当該原稿画像の上記第１基準方向に一致することの確実性の度合を示した確度を決定する確度決定部と、各原稿画像について、上記複数の方向に対応する上記確度の中の最も高い確度を示す確度値を、第１閾値と比較し、上記最も高い確度が第１閾値で表される基準より低いという第１条件、および、上記複数の方向に対応する上記確度の中の最も高い確度を示す確度値と２番目に高い確度を示す確度値との差分パラメータを、第２閾値と比較し、上記差分パラメータが第２閾値以下であるという第２条件を判定する判定部と、第１条件および第２条件のいずれかを満たすと判定された原稿画像について、上記確度が最も高い方向が同一である原稿画像が同一のグループに属するように、各原稿画像をグループ分けし、上記グループ毎に当該グループに含まれる原稿画像を示すプレビュー画像を表示装置に表示する表示制御部とを備え、上記表示制御部は、一つのグループに含まれる原稿画像が複数ある場合、当該グループに含まれる複数の原稿画像を示すプレビュー画像を表示装置に表示することを特徴とする。
【００１８】
上記の構成によれば、複数の原稿画像を処理する場合、最も高い確度が第１閾値より大きく、上記確度の中の最も高い確度と２番目に高い確度との差分パラメータが第２閾値より大きい原稿画像は、画像処理装置によって当該原稿画像内の情報画像の天地方向を精度良く認識できていることを意味しており、当該原稿画像については、例えば上記画像処理装置によって自動的に当該原稿画像の上記確度が最も高い方向に基づいた処理を施すことができる。上記確度が最も高い方向に基づいた処理とは、例えば上記確度が最も高い方向が所定の方向に向くような回転処理等である。また、上記の処理は上記画像処理装置に接続され、画像データおよび判定結果を受け取る別の処理装置（例えば、サーバ）によって行われてもよい。そのため、上記確度が最も高い方向が第１基準方向である可能性が高い原稿画像について利用者が処理を施す手間を軽減することができる。また、最も高い確度が第１閾値以下である原稿画像、および上記確度の中の最も高い確度と２番目に高い確度との差分パラメータが第２閾値以下である原稿画像について、確度が最も高い方向が同じである原稿画像毎にグループ分けし、グループ毎に原稿画像のプレビュー表示を確認できるため、利用者が確認すべき原稿画像の数が減るので、プレビュー画像に示された複数の原稿画像を確認することが容易になる。また、最も高い確度が第１閾値以下である原稿画像、および上記差分パラメータが第２閾値以下である原稿画像については利用者が確認するようになっているので、原稿画像に誤った処理を自動で施してしまうという問題を回避できる。
【００１９】
また、本発明に係る画像処理装置は、上記プレビュー画像が表示されているときに受け付けた処理指示に基づいて、上記プレビュー画像に示される原稿画像に対して所定の処理を施す処理部をさらに備えてもよい。
【００２０】
上記の構成によれば、利用者はプレビュー画像を確認し、所望の原稿画像について、例えば原稿画像の回転処理、または印刷等の処理を行うことができる。
【００２１】
また、上記表示制御部は、上記原稿画像を選択するための画像選択標識を上記原稿画像毎に生成し、上記プレビュー画像は、当該プレビュー画像に含まれる原稿画像と当該原稿画像に対応する画像選択標識とを示し、上記処理部は、上記画像選択標識を選択する指示を受け付け、上記画像選択標識の選択と上記処理指示とが入力されると、上記選択された原稿画像に対して上記処理指示に基づいた同一の処理を施してもよい。
【００２２】
上記の構成によれば、利用者はプレビュー画像を確認し、所望の複数の原稿画像について、容易に同一の処理を施すことができる。それゆえ、利用者の手間が軽減できる。
【００２３】
また、上記プレビュー画像は、上記原稿画像と当該原稿画像に対応する画像選択標識とを重ねて示してもよい。
【００２４】
上記の構成によれば、利用者はプレビュー画像を確認しながら原稿画像を選択するのが容易になる。
【００２５】
また、上記処理指示は、上記原稿画像の回転指示であり、上記処理部は、上記回転指示に従って上記原稿画像に回転処理を施してもよい。
【００２６】
また、各原稿画像について同一の方向であり、上記原稿画像の天地方向を基準とした所定の方向を第２基準方向としたとき、上記処理指示は、上記原稿画像における上記複数の方向からいずれか１つの方向を指定方向として指定する回転指示であり、上記処理部は、上記回転指示に基づき、当該指定方向と上記第２基準方向とのなす角度だけ回転するように、上記原稿画像に対して回転処理を施してもよい。
【００２７】
上記の構成によれば、利用者は第１基準方向が異なる複数の原稿画像に対して回転処理を施し、複数の原稿画像の第１基準方向を揃えることができる。
【００２８】
また、上記表示装置はタッチパネルを備え、利用者は上記タッチパネルより上記画像選択標識の選択ができるよう構成してもよい。
【００２９】
上記の構成によれば、利用者はプレビュー画像に示される原稿画像の画像選択標識を手で触れて選択することができるので、原稿画像の選択が容易になる。
【００３０】
また、上記表示制御部は、各原稿画像について、当該原稿画像の上記複数の方向を示す方向識別標識を上記方向毎に、当該原稿画像の当該方向に対応する上記確度に応じた表示形態で生成し、上記プレビュー画像において、当該プレビュー画像に含まれる原稿画像と当該原稿画像に対応する各方向識別標識とを重ねて表示してもよい。
【００３１】
また、上記表示制御部は、各原稿画像について、当該原稿画像の上記複数の方向を示す方向識別標識を上記方向毎に、当該原稿画像の当該方向に対応する上記確度に応じた表示形態で生成し、上記プレビュー画像において、当該プレビュー画像に含まれる原稿画像と当該原稿画像に対応する各方向識別標識とを重ねて表示し、上記処理部は、上記方向識別標識のいずれか１つを選択する指示を上記処理指示として受けつけ、選択された方向識別標識に対応する方向を上記指定方向としてもよい。
【００３２】
上記の構成によれば、各方向識別標識が確度の高さに応じた形態で表示されているので、たとえプレビュー画像が小さくとも、確度が高い方向、すなわち各原稿画像の第１基準方向を利用者が容易に見分けられるようになる。
【００３３】
また、上記表示制御部は、上記方向識別標識を、当該方向識別標識が示す方向に対応する上記確度に基づいて、各方向識別標識の色を決定してもよい。
【００３４】
また、上記表示制御部は、上記方向識別標識を、当該方向識別標識が示す方向に対応する上記確度に基づいて、各方向識別標識の大きさを決定してもよい。
【００３５】
上記の構成によれば、各方向識別標識の色または大きさが確度に応じて異なっているので、たとえプレビュー画像が小さくとも、確度が高い方向、すなわち各原稿画像の第１基準方向を利用者が容易に見分けられるようになる。
【００３６】
また、本発明の画像処理装置は画像形成装置に備えられていてもよいし、画像読取装置に備えられていてもよい。
【００３７】
また、本発明の画像処理装置はコンピュータによって実現されてもよく、この場合には、コンピュータを上記画像処理装置の各部として動作させる制御プログラム、および、該制御プログラムを記録したコンピュータ読み取り可能な記録媒体も、本発明の範疇に入る。
【００３８】
さらに本発明は、入力された画像データに含まれる複数の原稿画像を処理する画像処理装置の制御方法であって、上記原稿画像には、利用者に対して情報を示す情報画像が含まれており、各原稿画像について、当該原稿画像に含まれる情報画像の天地方向を基準とした所定の方向を第１基準方向としたとき、各原稿画像における所定の複数の方向の各々について、当該方向が当該原稿画像の上記第１基準方向に一致することの確実性の度合を示した確度を決定する確度決定工程と、上記確度が最も高い方向が同一である原稿画像が同一のグループに属するように、各原稿画像をグループ分けし、上記グループ毎に当該グループに含まれる原稿画像を示すプレビュー画像を表示装置に表示する表示制御工程とを含み、上記表示制御工程では、一つのグループに含まれる原稿画像が複数ある場合、当該グループに含まれる複数の原稿画像を示すプレビュー画像を表示装置に表示することを特徴とする。
【発明の効果】
【００３９】
本発明に係る画像処理装置は、入力された画像データに含まれる複数の原稿画像を処理する画像処理装置であって、上記原稿画像には、利用者に対して情報を示す情報画像が含まれており、各原稿画像について、当該原稿画像に含まれる情報画像の天地方向を基準とした所定の方向を第１基準方向としたとき、各原稿画像における所定の複数の方向の各々について、当該方向が当該原稿画像の上記第１基準方向に一致することの確実性の度合を示した確度を決定する確度決定部と、上記確度が最も高い方向が同一である原稿画像が同一のグループに属するように、各原稿画像をグループ分けし、上記グループ毎に当該グループに含まれる原稿画像を示すプレビュー画像を表示装置に表示する表示制御部とを備え、上記表示制御部は、一つのグループに含まれる原稿画像が複数ある場合、当該グループに含まれる複数の原稿画像を示すプレビュー画像を表示装置に表示することを特徴とする。
【００４０】
そのため、入力された画像データに含まれる複数の原稿画像に対して、利用者が複数の原稿画像の天地方向を容易に確認できる。
【発明を実施するための最良の形態】
【００４１】
［実施の形態１］
本発明の一実施形態について図に基づいて説明する。図１は、本実施形態の画像処理装置１０の概略構成を示したブロック図である。
【００４２】
本実施の形態では、画像処理装置１０は、原稿から画像を読み取る画像入力装置（ＣＣＤラインセンサ）を有する画像形成装置（複写機または複合機）に備えられている。そして、上記画像入力装置は原稿から読み取った原稿画像を画像データとして画像処理装置１０に入力する。画像処理装置１０は、入力された画像データ（入力画像データ）に対して画像処理を実行するようになっている。複数の原稿を読み取った場合、上記画像データは複数の画像を含む。尚、本明細書では入力された画像データに含まれる画像を原稿画像と称する。以下では、利用者に情報を示す情報画像が形成されている四角形の原稿が画像入力装置によって読み取られた場合について説明する。したがって、以下で説明する画像データに含まれる原稿画像は、上記原稿に形成された情報画像を含む四角形の画像である。ここで情報画像とは、例えば文字を含む画像であり、利用者にとってその向きが重要である画像である。
【００４３】
また、図１に示されるように、画像処理装置１０は、表示装置１１、記憶部１２、および制御部１３に接続されている。
【００４４】
表示装置１１は、上記画像形成装置の操作パネルを構成する画像表示手段であり、画像形成装置に関する各種情報を利用者に示すためのものである。また、表示装置１１はタッチパネルに覆われており、表示装置１１に表示される画像はグラフィカルユーザインターフェイスとしても機能する。尚、表示装置１１としては、液晶ディスプレイ等の一般的な画像表示手段を用いることができる。
【００４５】
記憶部１２は、画像形成装置に備えられているデータ保存手段である。記憶部１２としては一般的なハードディスク装置を用いることができる。
【００４６】
制御部１３は、画像処理装置１０、記憶部１２、および表示装置１１等の動作を制御するものである。また、制御部１３は、画像処理装置１０の内部のデータ通信、画像処理装置１０と記憶部１２との間のデータ通信、および画像処理装置１０と表示装置１１との間のデータ通信も制御している。尚、制御部１３は、ＣＰＵ、ＲＡＭ、および／またはＲＯＭ等より構成されるコンピュータである。
【００４７】
図１の構成において、画像入力装置から入力される画像データは記憶部１２に保存されるようになっている。そして、画像処理装置１０は、記憶部１２から画像データを読み出し、この画像処理装置１０に入力された画像データに画像処理を施し、画像処理を施した画像データを再度記憶部１２に保存するようになっている。また、画像処理装置１０は、上記画像データからプレビュー画像を生成し、プレビュー画像を表示装置１１に表示させるようになっている。
【００４８】
次に、画像処理装置１０の内部構成について詳細に説明する。図１に示されるように、画像処理装置１０は、確度決定部２１、表示制御部２２、回転処理部２３を有している。
【００４９】
（確度決定部２１について）
確度決定部２１は、画像入力装置によって読み取られた原稿画像の画像データが生成され且つ当該画像データが記憶部１２に記憶されると、この画像データを画像処理装置１０に読み出し、画像データに含まれる各原稿画像における第１方向、第２方向、第３方向、および第４方向の各々について、後述する第１基準方向であることの確実性の度合を示した確度（信頼度）を決定するブロックである。より具体的には、本実施形態では、確度決定部２１は、第１方向、第２方向、第３方向、および第４方向の各々について、上記確度が高いほど大きな値となる確度値（信頼値）を出力している。
【００５０】
図２（ａ）は、原稿台に載置されている原稿から読み取られた原稿画像３００を示し、図２（ｂ）は、図２（ａ）の原稿画像３００に基づいて生成されたプレビュー画像４００を示す図である。ここで、第１基準方向とは、図２（ａ）に示すように、原稿画像３００に示される情報画像（原稿に形成された像：原稿像）３０１の天地方向における地から天へ向かう方向（情報画像３０１の下側から上側へ向かう方向：図面では上から下へ向かう方向）を意味するものである。すなわち、情報画像３０１の天地方向における地から天へ向かう方向は、原稿画像３００を処理（表示、または印刷等の処理）する際の原稿画像３００の向きとして利用者にとって好ましい向きに原稿画像３００を回転させたときに、下側から上側へ向かう方向であるといえる。また、各原稿画像についてそれに含まれる情報画像（例えば文字）の天地方向における地から天へ向かう方向は異なりうるため、第１基準方向は各原稿画像毎に異なりうる。
【００５１】
また、図２に示すように、原稿画像３００の下側から上側へ向かう方向を第２基準方向と称する。原稿画像３００を回転させた場合でも、常に第２基準方向は、原稿画像３００の下側から上側へ向かう方向を指す。また、第２基準方向は、各原稿画像について同じである。
【００５２】
そして、図２に示す例においては、第１基準方向と第２基準方向とが互いに逆向きになるように上記原稿が読み取られて原稿画像３００が生成されていることになる。
【００５３】
なお、原稿画像３００における第１方向〜第４方向とは、図２に示すように、原稿画像３００に示される情報画像３０１の中心から情報画像３０１の各辺へ向かう方向であって、上記各辺のいずれかに垂直となる方向である。ここで、第１方向は、図２に示すように、後述する回転処理部２３による回転処理が原稿画像３００に施される前において第２基準方向と一致するような方向である。
【００５４】
また、第２方向とは、図２に示すように、回転処理部２３による回転処理が原稿画像３００に施される前においては第２基準方向と直交しており、回転処理部２３によって回転角度９０°の回転処理（右回りに９０°回転させる処理）が原稿画像３００に施された場合に第２基準方向となるような方向である。さらに、第３方向とは、図２に示すように、回転処理部２３による回転処理が原稿画像３００に施される前においては第２基準方向と逆向きになるような方向であり、回転処理部２３によって回転角度１８０°の回転処理が原稿画像３００に施された場合に第２基準方向となるような方向である。さらに、第４方向とは、図２に示すように、回転処理部２３による回転処理が原稿画像３００に施される前においては第２基準方向と直交しており、回転処理部２３によって回転角度２７０°の回転処理が原稿画像３００に施された場合に第２基準方向となるような方向である。ここで、回転方向は右回りとする。
【００５５】
そして、確度決定部２１は、図２に示す例において、第１〜第４方向の各々について上記の確度値を決定することになる。例えば、第１基準方向と第３方向とが一致している可能性の高い図２の例の場合、例えば、第１方向の確度値は３５となり、第２方向の確度値は１０となり、第３方向の確度値は８０となり、第４方向の確度値は１５となる。
【００５６】
本実施の形態では、確度値の決定方法は以下の（１）〜（８）の通りである。なお、下記の手順は特許文献２に開示されている手法を利用したものである。尚、確度値の決定には、画像の天地方向を判定するその他の公知の技術を利用することができ、利用する確度値決定法に応じて各確度値の値は異なるものになる。
（１）まず、確度決定部２１は、ＯＣＲ技術（Optical Character Recognition）によって原稿画像３００に示される情報画像３０１の各文字像を認識し、各文字像をパターン化する。
（２）次に、確度決定部２１は、原稿画像３００の情報画像から得られた文字パターンである入力文字パターンと予めデータベース化されている文字パターンである記憶文字パターンとを比較（マッチング）する。この比較処理においては、両パターンを重ね合わせ、画素毎に色（白黒）が同じになるか否かを判定し、全ての画素の白黒が同じである場合、比較結果を「一致」とする。
（３）また、確度決定部２１は、入力文字パターンとの間において全ての画素の白黒が同じになる記憶文字パターンがデータベースにない場合、入力文字パターンとの間において白黒が同じになる画素数が最も多い記憶文字パターンを選択し、選択した記憶文字パターンとの比較結果を「一致」とする。
（４）さらに、確度決定部２１は、入力文字パターンとの間において白黒が同じになる画素数が所定数に達している記憶文字パターンがデータベースにない場合、比較判定不能とする。
（５）確度決定部２１は、全ての入力文字パターンについて、（１）〜（４）の手順を繰り返し、一致と判定した文字数をカウントする。
（６）また、確度決定部２１は、全ての入力文字パターンに対して９０°の回転角度で回転処理を行い（図２に示される回転方向（時計回り）の回転）、回転処理後の全ての入力文字パターンについて、（１）〜（４）の手順を繰り返し、一致と判定した文字数をカウントする。
（７）また、確度決定部２１は、回転角度を１８０°として（６）と同様の手順を行い、さらに、確度決定部２１は、回転角度を２７０°として（６）と同様の手順を行う。
（８）そして、確度決定部２１は、回転処理を行っていない入力文字パターン（回転角度０°の入力文字パターン）に対する比較処理において「一致」と判定された文字数を、第１方向の確度値とする。また、確度決定部２１は、９０°の回転角度で回転処理を行った入力文字パターンに対する比較処理において「一致」と判定された文字数を、第２方向の確度値とする。さらに、確度決定部２１は、１８０°の回転角度で回転処理を行った入力文字パターンに対する比較処理において「一致」と判定された文字数を、第３方向の確度値とする。また、確度決定部２１は、２７０°の回転角度で回転処理を行った入力文字パターンに対する比較処理において「一致」と判定された文字数を、第４方向の確度値とする。
【００５７】
例えば、図３（ｂ）のように各文字の方向が揃っている場合、一方向の確度値のみが大きくなる。また、図３（ａ）のように、情報画像３０１においてある方向に揃っている文字群と別の方向に揃っている文字群とが混在する場合、２つの方向の確度値のみが大きくなり、その他の方向の確度値は小さくなる。また、図３（ｃ）に示すように、情報画像３０１に示される文字数が少ない場合、全ての方向において確度値は小さくなる。
【００５８】
（表示制御部２２について）
次に、図１の表示制御部２２について説明する。図１の表示制御部２２は、記憶部１２に保存されている原稿画像３００（図２（ａ）参照）を入力し、この原稿画像３００に対して間引き処理と指示マーク形成処理と選択マーク形成処理とを行うことによってプレビュー画像４００（図２（ｂ）参照）を生成し、プレビュー画像４００を表示装置１１に表示させる制御を行う。以下では間引き処理、指示マーク形成処理、および選択マーク形成処理について詳細に説明する。
【００５９】
（間引き処理）
表示制御部２２は、記憶部１２に記憶されている原稿画像３００を入力すると、入力した原稿画像３００に対して間引き処理を行うことによって原稿画像３００のサイズを縮小する。この間引き処理は、原稿画像３００の情報画像３０１全体が表示装置１１に表示されるようにするための措置である。また、間引き処理は、ニアレストネイバー法、バイリニア法、バイキュービック法等の補間処理によって行われる。
【００６０】
ニアレストネイバー法とは、補間にて生成される補間画素に一番近い既存画素の値または補間画素と所定の位置関係にある既存画素の値を、補間画素の値とする手法である。バイリニア法とは、補間画素を囲む周囲４点の既存画素の値の加重平均値（補間画素からの距離に比例した係数を重みとする）を求め、求めた値を補間画素の値とする手法である。バイキュービック法とは、補間画素を囲む４点に加え、さらにそれらを囲む１２点を加えた計１６点の既存画素を用いて、補間演算を行う手法である。
【００６１】
（指示マーク形成処理）
また、表示制御部２２は、間引き処理後の原稿画像３００に対して指示マーク（方向識別標識）５０１〜５０４を形成する処理を行う。
【００６２】
ここで、指示マーク５０１は、図２（ｂ）に示されるように、プレビュー画像４００において原稿画像３００が示されている領域上の第１方向側に重ねられることによって、第１方向を示す標識として機能するものである。指示マーク５０２は、図２（ｂ）に示されるように、プレビュー画像４００において原稿画像３００が示されている領域上の第２方向側に重ねられることによって、第２方向を示す識別標識として機能するものである。指示マーク５０３は、図２（ｂ）に示されるように、プレビュー画像４００において原稿画像３００が示されている領域上の第３方向側に重ねられることによって、第３方向を示す識別標識として機能するものである。指示マーク５０４は、図２（ｂ）に示されるように、プレビュー画像４００において原稿画像３００が示されている領域上の第４方向側に重ねられることによって、第４方向を示す識別標識として機能するものである。
【００６３】
そして、指示マーク形成処理とは、間引き処理後の原稿画像３００に示される原稿画像３００において指示マーク５０１〜５０４の重ねられる位置（座標）を求め、求めた位置に指示マーク５０１〜５０４が重ねられるように原稿画像３００に対して画像処理を行うものである。以下では、指示マーク５０１〜５０４を重ねる位置の算出方法について、指示マーク５０２を例にして説明する。
【００６４】
表示制御部２２は、図４に示すように、原稿画像３００の第２方向側の辺６０２を特定し、辺６０２の一端を座標Ａ（ta_x0,ta_y0）とする。ここで、座標Ａ（ta_x0,ta_y0）は下記式１および式２を満たすものである。さらに、表示制御部２２は、下記式３および式４を満たす座標Ｂ（ta1_x1,ta1_y1）と、下記式５および式６を満たす座標Ｃ（ta1_x2,ta1_y2）とを特定する。
ta_x0＝0                                            式１
ta_y0＝0                                            式２
ta1_x1＝0                                           式３
ta1_y1＝ta_offset2                                  式４
ta1_x2＝ta_offset1−1                               式５
ta1_y2＝(size_y)−(ta_offset3)−1                   式６
そして、表示制御部２２は、原稿画像３００において、座標Ｂ（ta1_x1,ta1_y1）と座標Ｃ（ta1_x2,ta1_y2）とを頂点とし、これら頂点を結ぶ直線が対角線となるような長方形領域を設定し、この長方形領域に含有される全ての画素を指示マーク５０２の領域として決定する。また、表示制御部２２は、指示マーク５０１、５０３、５０４の領域についても、指示マーク５０２の領域を決定した手法と同様の手法で決定する。
【００６５】
さらに、表示制御部２２は、図２に示すように、指示マーク５０１〜５０４の濃度を各指示マーク５０１〜５０４の示す各方向の確度値に応じて変更している。より具体的には、表示制御部２２は、各指示マーク５０１〜５０４の濃度を、各指示マーク５０１〜５０４の示す各方向の確度値の順位に応じて変更している。この点について以下詳細に説明する。
【００６６】
本実施形態では、表示制御部２２は、各指示マーク５０１〜５０４の濃度を、各指示マークの示す各方向の確度値の順位が高いほど高くしている。つまり、図２に示す例においては、確度値８０の第３方向を示す指示マーク５０３の濃度を最も高く、確度値３５の第１方向を示す指示マーク５０１の濃度を２番目に高く、確度値１５の第４方向を示す指示マーク５０４の濃度を３番目に高く、確度値１０の第２方向を示す指示マーク５０２の濃度を最も低くしている。
【００６７】
以下、各指示マーク５０１〜５０４の示す各方向の確度値の順位に応じて各指示マーク５０１〜５０４の濃度を設定する手法を説明する。例えば、図５（ａ）および図５（ｂ）に示すように、確度値順位と濃度値とが対応付けられているテーブルの組み合わせを記憶部１２に記憶しておく。そして、表示制御部２２は、確度決定部２１にて決定された第１方向〜第４方向の確度値に基づき、第１〜第４方向の各々について確度値の大きさの順位を決定する。さらに、表示制御部２２は、第１〜第４方向の各々について、各方向の確度値の大きさの順位に応じた濃度値を図５（ａ）および図５（ｂ）のテーブルから読み出す。例えば、図５（ａ）および図５（ｂ）のテーブルによれば、確度値の大きさの順位が１位の方向に対応する指示マークの濃度値は、（Ｒ，Ｇ，Ｂ）＝（２０，０，１２７）となり、確度値の順位が２位の方向に対応する指示マークの濃度値は、（Ｒ，Ｇ，Ｂ）＝（７５，０，１２７）となる。なお、図５に示される濃度値は濃度が高いほど小さくなるような値である。
【００６８】
また、確度値順位と濃度値とが対応付けられているテーブルの組み合わせとしては図５（ａ）および図５（ｂ）のものに限定されるものではない。例えば、図５（ａ）のテーブルと図５（ｃ）のテーブルとの組み合わせであってもよく、この組み合わせによれば、各方向の指示マークの濃度値を、各方向の確度値と１位の確度値との比率に応じて変化させることができる。そして、図５（ａ）のテーブルと図５（ｃ）のテーブルとの組み合わせによれば、確度値が１位ではない各方向の指示マークの濃度値を各方向の確度値の大きさに応じて変化させることが可能となる。
【００６９】
（選択マーク形成処理）
また、さらに表示制御部２２は、原稿画像３００に対して選択マーク（画像選択標識）７００を形成する処理を行う。そして、表示制御部２２は、選択マーク７００の形成された原稿画像３００をプレビュー画像４００とする。
【００７０】
ここで、選択マーク７００は、図２（ｂ）に示されるように、プレビュー画像４００において原稿画像３００が示されている領域上の指示マーク５０１〜５０４が形成されていない領域、例えば原稿画像３００の中央部分に形成される。選択マーク７００の機能は後述する。
【００７１】
選択マーク形成処理とは、間引き処理後の原稿画像３００において選択マーク７００の重ねられる位置（座標）を求め、求めた位置に選択マーク７００が重ねられるように間引き処理後の原稿画像（原稿画像のサムネイル画像）３００に対して画像処理を行うものである。以下では、選択マーク７００を重ねる位置の算出方法について説明する。
【００７２】
表示制御部２２は、図４に示すように、下記式７および式８を満たす座標Ｄ（ta2_x1,ta2_y1）と、下記式９および式１０を満たす座標Ｅ（ta2_x2,ta2_y2）とを特定する。
ta2_x1＝ta_offset1＋1                                式７
ta2_y1＝ta_offset2＋1                                式８
ta2_x2＝(size_x)−(ta_offset4)−1                    式９
ta2_y2＝(size_y)−(ta_offset3)−1                    式１０
そして、表示制御部２２は、原稿画像３００において、座標Ｄ（ta2_x1,ta2_y1）と座標Ｅ（ta2_x2,ta2_y2）とを頂点とし、これら頂点を結ぶ直線が対角線となるような長方形領域を設定し、この長方形領域に含有される全ての画素を選択マーク７００の領域として決定する。
【００７３】
そして、表示制御部２２は、間引き処理と指示マーク形成処理と選択マーク形成処理とを行った後、これら処理を行うことによって生成されたプレビュー画像４００（図２（ｂ）参照）に対して階調補正処理（γ補正）を行い、階調補正処理後のプレビュー画像４００を表示装置１１に表示する。なお、ここでの階調補正処理とは表示装置１１の表示特性に応じた階調変換処理である。
【００７４】
（回転処理部２３について）
次に、図１の回転処理部２３について説明する。図１の回転処理部２３は、表示装置１１に表示されているプレビュー画像４００に示されている指示マーク５０１〜５０４のうちのいずれかが利用者に選択された場合、記憶部１２に保存されている原稿画像３００を読み出し、読み出した原稿画像３００に対して図２（ａ）に示す回転方向（時計回りの回転方向）の回転処理を行うブロックである。
【００７５】
より具体的に説明すると、回転処理部２３は、原稿画像３００における選択された指示マークの示す方向が回転処理後に第２基準方向（原稿画像の地から天へ向けた方向）になるように原稿画像３００に対して回転処理を施す。回転処理はもちろん間引き処理を行う前の原稿画像３００に対して行われる。
【００７６】
つまり、図２（ｂ）の指示マーク５０３が選択されると、図２（ａ）の原稿画像は１８０°の回転角度で時計周りの回転処理が施される。また、図２（ｂ）の指示マーク５０４が選択されると、図２（ａ）の原稿画像３００は２７０°の回転角度で時計周りの回転処理が施される（時計周りの方向に２７０°回転する）。さらに、図２（ｂ）の指示マーク５０２が選択されると、図２（ａ）の原稿画像３００は９０°の回転角度で時計周りの回転処理が施される（時計回りの方向に９０°回転する）。また、図２（ｂ）の指示マーク５０１が選択されると、図２（ａ）の原稿画像３００は０°の回転角度で時計周りの回転処理が施される（すなわち回転しない）。
【００７７】
そして、回転処理が施された後の原稿画像３００は、記憶部１２に上書き保存されてもよいし、画像処理装置１０から出力されて印刷処理に用いられてもよいし、外部装置に送信されてもよい。
【００７８】
なお、利用者は、表示装置１１に表示されているカーソルによって指示マーク５０１〜５０４または選択マーク７００を選択するようにしてもよいし、表示装置１１に利用者が接触して指示を入力することができる表示画面であるタッチパネルが構成されている場合、指示マーク５０１〜５０４または選択マーク７００に接触することによって指示マーク５０１〜５０４または選択マーク７００を選択してもよい。つまり、本実施形態の指示マーク５０１〜５０４は、グラフィカルユーザインターフェイスとして機能し、回転処理のコマンドの入力および回転角度の設定のためのボタンとして機能するようになっている。また、選択マーク７００は、グラフィカルユーザインターフェイスとして機能し、回転処理を施す原稿画像を選択するためのボタンとして機能するようになっている。
【００７９】
（画像データが複数の原稿画像を含む場合）
以下に、画像データが複数の原稿画像を含む場合の画像処理装置１０の処理について説明する。画像データが複数の原稿画像を含む場合、確度決定部２１は、各原稿画像について各方向に対する確度を決定する。
【００８０】
図９は、１頁目〜６頁目の６つの原稿画像について、それぞれの原稿画像の各方向の確度値を示す図である。１頁目の原稿画像は第１方向の確度値が８０、第２方向の確度値が１０、第３方向の確度値が３５、第４方向の確度値が１５である。２頁目の原稿画像は第１方向の確度値が１０、第２方向の確度値が５、第３方向の確度値が２５、第４方向の確度値が７である。３頁目の原稿画像は第１方向の確度値が２０、第２方向の確度値が１５、第３方向の確度値が７５、第４方向の確度値が１０である。４頁目の原稿画像は第１方向の確度値が１５、第２方向の確度値が８０、第３方向の確度値が２５、第４方向の確度値が３５である。５頁目の原稿画像は第１方向の確度値が１５、第２方向の確度値が４５、第３方向の確度値が１０、第４方向の確度値が２０である。６頁目の原稿画像は第１方向の確度値が１５、第２方向の確度値が３５、第３方向の確度値が２５、第４方向の確度値が３０である。
【００８１】
ここで、各原稿画像の確度が最も高い方向は、１頁目では第１方向、２頁目では第３方向、３頁目では第３方向、４頁目では第２方向、５頁目では第２方向、６頁目では第２方向となっている。
【００８２】
次に、表示制御部２２は、複数の原稿画像について、確度が最も高い方向が同じである原稿画像毎にグループ分けをする。そして、表示制御部２２は、上記グループ毎に当該グループに対応する複数の原稿画像をプレビュー画像として表示装置１１に表示する。
【００８３】
図１０は、グループ分けされた原稿画像のグループ毎に表示装置に表示されるプレビュー画像４１０ａ〜４１０ｄを示す図である。図１０（ａ）は、確度が１位である方向が第１方向である１頁目の原稿画像（原稿画像のサムネイル画像）３１１を含む第１グループのプレビュー画像４１０ａを示す図である。図１０（ｂ）は、確度が１位である方向が第２方向である４〜６頁目の原稿画像３１４・３１５・３１６を含む第２グループのプレビュー画像４１０ｂを示す図である。図１０（ｃ）は、確度が１位である方向が第３方向である２〜３頁目の原稿画像３１２・３１３を含む第３グループのプレビュー画像４１０ｃを示す図である。図１０（ｄ）は、確度が１位である方向が第４方向である原稿画像を含む第４グループのプレビュー画像４１０ｄを示す図である。ここでは、第４方向が確度１位になる原稿画像が存在しないので、プレビュー画像４１０ｄには原稿画像が含まれていない。
【００８４】
表示制御部２２は、最初に、確度が１位である方向が第１方向である第１グループの原稿画像に対応するプレビュー画像４１０ａを表示装置１１に表示する（図１０（ａ）参照）。そして、プレビュー画像４１０ａに示される原稿画像３１１に対する処理の指示の入力を受け付ける。利用者は、上記したように、カーソルまたはタッチパネル等により原稿画像３１１の指示マーク５１１〜５１４または選択マーク７１１を選択する。
【００８５】
利用者によって指示マーク５１１〜５１４が選択されると、回転処理部２３は対応する原稿画像３１１に対し、選択された指示マークに応じた処理（回転処理等）を施す。そして、回転処理が施された後の原稿画像３１１は、記憶部１２に上書き保存されてもよいし、画像処理装置１０から出力されて印刷処理に用いられてもよいし、外部装置に送信されてもよい。また、回転処理が施された後の原稿画像３１１のプレビュー画像を、改めてプレビュー画像４１０ａとして表示装置１１に表示し、利用者に処理結果の確認を促してもよい。本実施形態では、プレビュー画像４１０ａの原稿画像に対して回転処理が施されると、表示制御部２２は、回転処理が施された後の原稿画像３１１のプレビュー表示を含むプレビュー画像を、改めてプレビュー画像４１０ａとして表示装置１１に表示する。
【００８６】
利用者が、画像処理装置１０に図示しない操作パネル等により補正不要コマンドを入力すると、表示制御部２２は、プレビュー画像４１０ａに換わって確度が１位である方向が第２方向である第２グループの原稿画像に対応するプレビュー画像４１０ｂを表示装置１１に表示する（図１０（ｂ）参照）。
【００８７】
プレビュー画像４１０ｂは３つの原稿画像３１４・３１５・３１６を含む。そして、原稿画像３１４・３１５・３１６は、第１〜４方向の中で第２方向が第１基準方向に一致する可能性が最も高い原稿画像のグループに対応する。そのためプレビュー画像４１０ｂに示された複数の原稿画像は、それらの第１基準方向が一致している可能性が高い。
【００８８】
第２グループのプレビュー画像４１０ｂの複数の原稿画像に対しても、利用者は各原稿画像の指示マーク５４１〜５４４・５５１〜５５４・５６１〜５６４を選択することにより、選択された指示マークに対応する原稿画像に回転処理を施すことができる。
【００８９】
ここで、プレビュー画像４１０ｂに示された複数の原稿画像は、それらの第１基準方向が一致している可能性が高いので、利用者は複数の原稿画像に同一の回転処理を施す必要がある場合がある。
【００９０】
複数の原稿画像に同一の回転処理を施したい場合、利用者は回転処理を施したい複数の原稿画像の選択マーク７１４〜７１６を選択する。このとき、表示制御部２２は、選択された選択マークの色または形等を変えることにより、選択マークが選択された原稿画像がわかるようにプレビュー画像４１０ｂを表示する。
【００９１】
次に、利用者は選択マークを選択した複数の原稿画像のうちのいずれかの原稿画像の指示マークを選択する。選択マークが選択されている原稿画像の指示マークが選択されたとき、回転処理部２３は選択マークが選択されている全ての原稿画像について、選択された指示マークに対応する回転処理を施す。これにより、利用者は複数の原稿画像について同一の回転処理を一括して施す（指示する）ことができる。
【００９２】
そして、表示制御部２２は、回転処理が施された後の複数の原稿画像のプレビュー表示を含むプレビュー画像を、改めてプレビュー画像４１０ｂとして表示装置１１に表示する。利用者は、表示されている原稿画像に対して指示マークを、または選択マークと指示マークとを選択することにより、さらに原稿画像に対して回転処理を施すことができる。
【００９３】
ここで、一度回転処理が施された原稿画像については、表示制御部２２は改めてプレビュー画像４１０ｂに含めず、一度も回転処理が施されていない原稿画像のみを改めてプレビュー画像４１０ｂとして表示してもよい。これにより、回転処理済みの原稿画像がプレビュー画像４１０ｂから消えるので、残りの一度も回転処理が施されていない原稿画像を利用者が確認しやすくなる。
【００９４】
利用者が、画像処理装置１０に図示しない操作パネル等により補正不要コマンドを入力すると、表示制御部２２は、プレビュー画像４１０ｂに換わって確度が１位である方向が第３方向である第３グループの原稿画像に対応するプレビュー画像４１０ｃを表示装置１１に表示する（図１０（ｃ）参照）。また、表示制御部２２は、第２グループの全ての原稿画像について回転処理が施されると、次の第３グループのプレビュー画像４１０ｃを表示するようにしてもよい。
【００９５】
第３グループの原稿画像についても利用者の指示に応じて第２グループと同様の操作・処理が行われる。本実施形態では、第４グループに含まれる原稿画像が存在しないので、第４グループのプレビュー画像４１０ｄは表示されず、第３グループに対する処理が終了（補正不要コマンドが入力される）した時点で、画像データに含まれる原稿画像の向きの補正（回転処理）が完了する。
【００９６】
補正が完了したこれらの原稿画像は、上記したように、記憶部１２に上書き保存されてもよいし、画像処理装置１０から出力されて印刷処理に用いられてもよいし、外部装置に送信されてもよい。
【００９７】
（処理フロー）
以下に、画像データが複数の原稿画像を含む場合の画像処理装置１０の処理の手順を図６に基づいて説明する。図６は、本実施形態にて実行される処理の流れを示したフローチャートである。
【００９８】
まず、画像入力装置（スキャナ）にて原稿から複数の原稿画像が読み取られると、複数の原稿画像を含む画像データが記憶部１２に保存される（Ｓ１）。次に、確度決定部２１が、記憶部１２に記憶されている画像データの各原稿画像を参照し、各原稿画像における第１〜第４方向の各々について、第１基準方向（原稿画像に示される情報画像の天地方向における地から天へ向けた方向）と一致している確実性の程度を数値化した確度値を決定する（Ｓ２）。
【００９９】
その後、表示制御部２２は、複数の原稿画像について、確度が最も高い方向が同じである原稿画像毎にグループ分けをする（Ｓ３）。
【０１００】
また、表示制御部２２は、複数の原稿画像含む画像データを記憶部１２から読み出し（Ｓ４）、各原稿画像に対して間引き処理を施す（Ｓ５）。
【０１０１】
Ｓ５の後、表示制御部２２は、間引き処理後の各原稿画像（原稿画像のサムネイル画像）および第１〜第４方向の確度値に基づいて、第１〜第４方向を示す指示マークおよび選択マークを作成する（Ｓ６）。
【０１０２】
表示制御部２２はグループ毎に、当該グループに対応する全ての原稿画像について、間引き処理後の原稿画像と、当該原稿画像に対応する指示マークおよび選択マークとを重ねて示した原稿画像をまとめてプレビュー画像として表示装置１１に表示させる（Ｓ７）。
【０１０３】
ここで、画像処理装置１０は、利用者による指示マークの選択の指示、または補正不要コマンドの入力を受け付ける（Ｓ８）。このステップでは、選択マークの選択の指示の入力も受け付けるが、本実施形態では、複数の選択マークを選択できるようにするため、画像処理装置１０は指示マークの選択の指示または補正不要コマンドが入力されるまで入力を受け付ける。
【０１０４】
Ｓ８の後、回転処理部２３は、いずれかの原稿画像のいずれかの指示マークが利用者に選択され（Ｓ９にてＹｅｓ）、且ついずれの選択マークも選択されていない場合（Ｓ１０にてＮｏ）、記憶部１２に保存されている指示マークが選択された原稿画像を読み出し、読み出した原稿画像に対して回転処理を行う（Ｓ１１）。またＳ８の後、回転処理部２３は、いずれかの原稿画像のいずれかの指示マークが利用者に選択され（Ｓ９にてＹｅｓ）、且ついずれかの選択マークが選択されている場合（Ｓ１０にてＹｅｓ）、記憶部１２に保存されている選択マークが選択された全ての原稿画像を読み出し、読み出した全ての原稿画像に対して同一の回転処理を行う（Ｓ１２）。なお、回転処理部２３は、選択された指示マークに対応する方向が回転処理後に第２基準方向（原稿画像の天地方向における地から天へ向けた方向）になるように原稿画像に対して回転処理を施す。
【０１０５】
Ｓ１１またはＳ１２の後、表示制御部２２は、回転処理を施した後の原稿画像をプレビュー表示するために、Ｓ５〜Ｓ７と同様の処理により回転処理を施した後の原稿画像（原稿画像のサムネイル画像）を含んだプレビュー画像を表示装置１１に表示させる（Ｓ１３）。
【０１０６】
Ｓ８の後、いずれの指示マークも選択されていない場合、すなわちＳ８にて補正不要コマンドが入力された場合（Ｓ９にてＮｏ）、まだ一度もプレビュー表示のされていないグループがある場合（Ｓ１４にてＮｏ）、表示制御部２２は、まだ一度もプレビュー表示のされていない別のグループの原稿画像のプレビュー画像を表示画面１１に表示させる。また、全てのグループについてプレビュー表示がなされ原稿画像の補正（処理）が完了した場合（Ｓ９にてＮｏ、Ｓ１４にてＹｅｓ）、画像処理装置１０は、回転処理を行うことなく処理を終了する。
【０１０７】
以上の構成によれば、図２に示すように、第１方向〜第４方向の各々を示す指示マーク５０１〜５０４の濃度を、第１基準方向に一致していることの確度に応じて変化させているため、情報画像の天地方向の識別が容易となる。それゆえ、利用者からすれば、原稿方向補正（本実施形態では回転処理）の要否の検討、回転処理における回転角度の検討が容易となる。
【０１０８】
そして、複数の原稿画像を処理する場合、確度が最も高い方向が同じである原稿画像毎にグループ分けし、グループ毎に原稿画像のプレビュー表示を確認できるため、あるプレビュー画像に示される複数の原稿画像はそれらの第１基準方向が一致している可能性が高い。プレビュー画像に示される原稿画像の中で、多くの原稿画像の第１基準方向が揃っていると、たとえプレビュー画像が小さくとも、プレビュー画像に示される原稿画像の中にある第１基準方向が他とは異なる原稿画像は目立つので、利用者が第１基準方向が他とは異なる原稿画像を発見しやすい。また、多くの原稿画像が、同一の処理（回転処理等）を施すべきものになっているので、利用者が複数の原稿画像について回転処理等を行うことが容易になる。
【０１０９】
また、選択マークを選択することで、複数の原稿画像について回転処理等を一括して行うことができる。この際も、多くの原稿画像の第１基準方向が揃っているので、選択すべき原稿画像を見分けることが容易になる。
【０１１０】
本実施形態では、第１〜第４方向の４つの方向について、それぞれ確度を決定し、それらを基に原稿画像の回転処理を行う構成であったが、４つの方向でなくてもよい。第１基準方向が第２基準方向に対して斜め４５°に傾いている場合などを想定し、例えば８つの方向について確度を決定し、それらを基に回転処理を行ってもよい。一般に確度を求める方向の数は任意である。
【０１１１】
また、以上では確度が高いほどその確度値が大きい場合について説明したが、確度が高いほどその確度値が小さくなるような指標を用いて上記の処理を行ってもよい。
【０１１２】
また、プレビュー表示に使用する原稿画像のサムネイル画像は、原稿画像全体に対して間引き処理を行ったものに限らず、原稿画像の一部を使用したものでもよい。また、原稿画像の一部を縮小処理したものでもよい。
【０１１３】
尚、グループに属する原稿画像が多く、プレビュー画像の中の原稿画像が小さくなりすぎて、利用者が個々の原稿画像を確認しづらくなる場合がある。そのため、グループに属する全ての原稿画像を１つのプレビュー画像に含めて表示するのではなく、グループに属する原稿画像をいくつかに分けて対応する複数のプレビュー画像を作成し、順に表示および処理させてもよい。これにより、利用者はプレビュー画像を見ることで複数の原稿画像の天地方向を容易に確認することができる。また、確度が１位の方向が複数ある原稿画像については、どのグループに分類するようにしてもよい。
【０１１４】
また、選択マークおよび指示マークの形状および位置は任意であり、選択マークに対応する原稿画像、および指示マークに対応する原稿画像と方向とが利用者にわかるように配置されていればよい。例えば指示マークは、原稿画像の各方向側ではなく、原稿画像の各方向の逆側に配置されてもよい。すなわち、図２（ｂ）に示す第１方向の指示マーク５０１と第３方向の指示マーク５０３とが入れ替わり、第２方向の指示マーク５０２と第４方向の指示マーク５０４とが入れ替わる構成であってもよい。また、選択マークはなくてもよいが、その場合、複数の原稿画像の第１基準方向を一括して確認することはできるが、回転処理等の処理は各原稿画像の指示マークを個々に選択する必要がある。ただし、選択マークがない場合においても、多くの原稿画像の第１基準方向が揃っているので、選択すべき原稿画像を見分けることが容易になる。また、指示マークが形成されない構成でもよい。この場合でも、利用者はグループ毎に表示された複数の原稿画像を確認することができる。指示マークまたは選択マークに対する指示の入力は、操作パネル等の指示入力装置によって代用でき、これにより原稿画像を選択し、選択された複数の原稿画像について指示入力装置によって回転処理を指示する構成としてもよい。これにより、利用者は表示装置で確認した所望の原稿画像に対して処理を施すことができる。
【０１１５】
また、本実施形態では、選択された原稿画像に対して回転処理を行う画像処理装置について説明したが、原稿画像に対する処理は回転処理に限らず、選択された原稿画像に対してのみ印刷等の処理を画像形成装置等に指示する構成であってもよいし、選択された原稿画像は印刷しないという処理を画像形成装置等に指示する構成であってもよい。
【０１１６】
また、本実施形態では、画像読取装置（スキャナ）によって原稿が読み取られ、読み取られた原稿画像を含む画像データに対して処理を行う画像処理装置について説明したが、読み取られた原稿画像に限らず、画像処理装置に入力される画像データは、例えば最初からＰＣ上で作成された第１基準方向（天地方向の地から天へ向かう方向）が異なる複数の画像を含むものであってもよい。
【０１１７】
また、表示制御部２２は、各指示マーク５０１〜５０４の濃度を各指示マーク５０１〜５０４に対応する方向の確度の順位に応じて変更しているが、濃度を変更する形態に限定されるものではない。各指示マーク５０１〜５０４の色を各指示マーク５０１〜５０４に対応する方向の確度の順位に応じて変更する形態であってもよい。例えば、最も確度値の大きな方向の指示マークの色を赤、２番目に確度値の大きな方向の指示マークの色を緑、３番目に確度値の大きな方向の指示マークの色を青、最も確度値の小さな方向の指示マークの色を黄としてもよい。
【０１１８】
さらに、各指示マーク５０１〜５０４のサイズを、各指示マーク５０１〜５０４に対応する方向の確度の順位に応じて変更するような形態であってもよい。一例として、確度の高い方向の指示マークほどサイズを大きくすることが考えられる。この場合、図２（ａ）に示す原稿画像３００から作成されるプレビュー画像４００ａの指示マーク５０１ａ〜５０４ａは図７のようになる。なお、指示マーク５０１ａは第１方向を示し、指示マーク５０２ａは第２方向を示し、指示マーク５０３ａは第３方向を示し、指示マーク５０４ａは第４方向を示すものである。
【０１１９】
また、各指示マーク５０１〜５０４の濃度を変更する、あるいは、サイズを変更するとともに確度が最も高い指示マークを点滅させるようにしても良い。
【０１２０】
次に、指示マークのサイズの設定手法の一例を説明する。例えば、図８（ａ）および図８（ｂ）に示すように、確度値順位と指示マークのサイズとが対応付けられているテーブルの組み合わせを記憶部１２に記憶しておき、これらテーブルを参照することによって、確度値順位に応じたサイズ（画素数）を設定すればよい。そして、各指示マークが設定されたサイズとなるように上述の式１〜式６を適宜補正すればよい。なお、図８（ａ）のテーブルと図８（ｂ）のテーブルとの組み合わせによれば、確度の高い方向の指示マークほどサイズを大きくできる。図８（ｂ）に示す倍率の代わりに、確度の順位に応じた任意の倍率を設定することができる。
【０１２１】
また、図８（ａ）のテーブルおよび図８（ｃ）のテーブルの組み合わせを用いても、確度値順位に応じたサイズ（画素数）を設定できる。なお、図８（ａ）のテーブルおよび図８（ｃ）のテーブルの組み合わせによれば、各方向の指示マークのサイズを、当該方向の確度値と１位の確度値との比率に応じて変化させることができる。そして、確度値が１位ではない各方向の指示マークのサイズを各方向の確度値の大小に応じて変化させることが可能となる。
【０１２２】
［実施の形態２］
本実施形態は、原稿画像の第１〜第４方向の各確度値のうちで最も大きな確度値（確度値の大きさの順位が１位の方向の確度値）が閾値より大きければ、プレビュー画像に当該原稿画像を表示せずに自動的に回転処理を行い、最も大きな確度値が閾値以下であれば当該原稿画像のプレビュー画像を表示する形態である。以下では、この形態について詳細に説明する。
【０１２３】
図１１に示すように、原稿画像３００ｂの第１〜第４方向の各確度値のうちで最大の確度値（確度値の大きさの順位が１位の方向の確度値）が予め定められた閾値を超えているような場合、最大の確度値に対応する方向が第１基準方向であることがほぼ確実であると推測できることがある。それゆえ、この場合、図１１のように敢えて当該原稿画像を示すプレビュー画像を表示せずに、最大の確度値の方向が回転処理後に第２基準方向となるように自動的に回転処理を行うことで、利用者の手間を軽減できる。なお、最大の確度値が閾値を超えているということは、図１１に示すように、確度値判定における標本が多く（情報画像の文字数が多く）、確度値は信用度の高いデータと考えられる。
【０１２４】
これに対し、図１２に示すように、原稿画像３００ｃの第１〜第４方向の各確度値のうちで最大の確度値が予め定められた閾値以下であれば、最大の確度値に対応する方向が第１基準方向である可能性は高いものの、最大の確度値に対応する方向が第１基準方向でない可能性も僅かにある。それゆえ、この場合、最大の確度値の方向が回転処理後に第２基準方向になるように自動的に回転処理を行うと、誤った回転処理が行われる可能性がある。この場合は、誤った回転処理が自動的に行われることを抑制するため、図１２に示されるように、原稿画像３００ｃに対応するプレビュー画像４００ｃを表示して回転処理の要否および回転角度の入力（指示マークの選択）を利用者に促すべきである。
【０１２５】
図９に示すように、画像データに１頁目〜６頁目の複数の原稿画像が含まれる場合、例えば閾値が７０であるとすると、１頁目（第１方向が確度８０）、３頁目（第３方向が確度７５）、および４頁目（第２方向が確度８０）は最大の確度値が閾値より大きい。そのため、１頁目、３頁目、および４頁目の原稿画像については、自動的にそれぞれの最大の確度値を有する方向に応じた回転処理が施される。そして、各グループのプレビュー画像には、上記１頁目、３頁目、および４頁目の原稿画像は含まれない。
【０１２６】
図１３は、本実施形態において最大の確度値が第１〜第４方向である各グループのプレビュー画像を示す図である。確度が１位である方向が第１方向である原稿画像は１頁目の原稿画像のみである。しかし、１頁目の原稿画像は最大の確度値が閾値を超えているため自動的に回転処理されグループ分けされないため、確度が１位である方向が第１方向である第１グループに属する原稿画像はない。そのためプレビュー画像４２０ａも実際には作成されず、第２グループの処理へと移る。
【０１２７】
確度が１位である方向が第２方向である原稿画像は４頁目、５頁目、６頁目の原稿画像である。しかし、４頁目の原稿画像は最大の確度値が閾値を超えているため自動的に回転処理されグループ分けされないため、確度が１位である方向が第２方向である第２グループに属する原稿画像は５頁目、６頁目の原稿画像３２５・３２６のみとなる。そして、５頁目、６頁目の原稿画像についてプレビュー画像４２０ｂが作成され、プレビュー表示される。
【０１２８】
確度が１位である方向が第３方向である原稿画像は２頁目、３頁目の原稿画像である。しかし、３頁目の原稿画像は最大の確度値が閾値を超えているため自動的に回転処理されグループ分けされないため、確度が１位である方向が第３方向である第３グループに属する原稿画像は２頁目の原稿画像３２２のみとなる。そして、２頁目の原稿画像についてプレビュー画像４２０ｃが作成され、プレビュー表示される。
【０１２９】
確度が１位である方向が第４方向である原稿画像は、本実施形態では、存在しない。そのためプレビュー画像４２０ｄも実際には作成されず、処理は終了する。
【０１３０】
本実施形態では、確度決定部２１にて決定された確度値のうちの最大の確度値が閾値より大きい場合はプレビュー画像に当該原稿画像を含ませずに自動的に回転処理を行い、最大の確度値が閾値以下の場合は当該原稿画像を含むプレビュー画像を表示することとする。あるグループが複数の原稿画像を含む場合、表示制御部２２は、最大の確度値が閾値以下の原稿画像のみを含むプレビュー画像を作成し表示装置１１に表示させる。もしグループに含まれる原稿画像の全てについて最大の確度値が閾値より大きい場合は、当該グループの全ての原稿画像に回転処理が施され、当該グループのプレビュー画像は表示されずに別のグループの処理に移る。これにより、誤った回転処理が自動的に行われることを抑制しつつ、利用者の手間軽減を実現できる。また、利用者がプレビュー表示で確認しなければならない原稿画像が少なくなるので、プレビュー表示された原稿画像の確認が容易になる。
【０１３１】
図１４は、本実施形態の処理の流れを示したフローチャートである。図１４のＳ２０〜Ｓ２１は図６のＳ１〜Ｓ２と同様であり、図１４のＳ２４〜Ｓ３５は図６のＳ３〜Ｓ１４と同一である。それゆえ、Ｓ２０〜Ｓ２１およびＳ２４〜Ｓ３５の詳細についてはここでは省略する。
【０１３２】
図１４のフローにおいて、Ｓ２１の後、図示しない判定部は、第１〜第４方向の各々の確度値のうちで最も大きな確度値をＲ１として、Ｒ１≦Ｔａであるか否かを各原稿画像について判定する（Ｓ２２）。なお、Ｔａは閾値であり、例えば７０に設定されている。
【０１３３】
Ｓ２２においてＲ１≦Ｔａでないと判定された原稿画像について、回転処理部２３は確度値の大きさが１位である方向が回転処理後に第２基準方向となるように原稿画像に対して自動的に回転処理を行う（Ｓ２３）。そして、Ｓ２２においてＲ１≦Ｔａと判定された原稿画像についてのみグループ分けが行われ（Ｓ２４）、表示制御部２２はグループ毎にプレビュー画像を表示し（Ｓ２８）、利用者に対して回転処理の要否のコマンドおよび回転角度の入力を促す。そして、回転処理部２３は、利用者に選択された指示マークの方向が回転処理後に第２基準方向と一致するように、原稿画像に対して回転処理を施す（Ｓ３２またはＳ３３）。
【０１３４】
［実施の形態３］
本実施の形態は、最も大きな確度値と２番目に大きな確度値との差が大きければプレビュー画像を表示せずに自動的に回転処理を行い、上記差が小さければプレビュー画像を表示する形態である。以下では、この形態について詳細に説明する。
【０１３５】
図１５に示すように、原稿画像３００ｄの第１〜第４方向の各確度値のうちで最大の確度値（確度値の大きさの順位が１位の方向の確度値）と２番目に大きな確度値（確度値の大きさの順位が２位の方向の確度値）との差が小さい場合、原稿画像３００ｄは、互いに第１基準方向の異なる複数の情報画像が示されたＮ−ｕｐ画像である可能性がある。尚、Ｎ−ｕｐ画像とは、用紙１枚に対して複数（Ｎ個）の情報画像を印刷する場合に用いられる画像データである。また、第１基準方向とは、実施の形態１と同様、原稿画像３００ｄに示される情報画像の天地方向における地から天へ向かう方向（情報画像の下側から上側へ向かう方向）を意味するものである。そして、原稿画像３００ｄが互いに第１基準方向の異なる複数の情報画像の示されたＮ−ｕｐ画像である場合において、最大の確度値の方向が回転処理後に第２基準方向になるように回転処理を自動で行うと、利用者にとって意図しない回転処理が自動で行われることになる可能性がある（つまり、２番目に大きな確度値の方向が回転処理後に第２基準方向になるように回転処理を行うことを利用者が所望しているとき、最大の確度値の方向が回転処理後に第２基準方向になるように回転処理を行うと、利用者にとって意図しない回転処理が行われることになる）。そこで、上記差分が閾値以下であるような場合、上記プレビュー画像４００ｄを表示して情報画像の天地方向の判断および回転処理のコマンド入力を利用者に行わせ、利用者の意図しない回転処理が自動的に行われることを抑制すべきである。
【０１３６】
これに対し、図１６に示すように、上記第１方向から上記第４方向の確度値のなかで最大の確度値と２番目に大きな確度値との差分が閾値を超えているような場合は、最大の確度値に対応する方向が第１基準方向であることがほぼ確実であると推測できる。また、この場合、原稿画像３００ｄは単一の情報画像を示す画像である可能性が高い。それゆえ、この場合、図１５のように敢えてプレビュー画像を表示せずに、最大の確度値の方向が回転処理後に第２基準方向となるように自動的に回転処理を行うことで、利用者の手間を軽減できる。
【０１３７】
そこで、本実施形態では、確度決定部２１にて決定された確度値のうちの最も大きな確度値と２番目に大きな確度値との差の大きさを示す差分パラメータが閾値より大きい場合はプレビュー画像に当該原稿画像を含ませずに自動的に回転処理を行い、上記差分パラメータが閾値以下の場合は当該原稿画像を含むプレビュー画像を表示することとする。これにより、利用者の意図しない回転処理が行われることを抑制しつつ、利用者の手間を軽減できる。
【０１３８】
図１７に示すように、画像データに１頁目〜６頁目の複数の原稿画像が含まれる場合について説明する。ここで、例えば閾値が０．５であるとする。第１〜第４方向の各々の確度値のうちで最も大きな確度値をＲ１とし、２番目に大きな確度値をＲ２とし、Ｒ１およびＲ２を正規化する。ここで、Ｒ１を正規化した値をＲ１´とし、Ｒ２を正規化した値をＲ２´とする。なお、Ｒ１´＝Ｒ１／Ｒ１であり、Ｒ２´＝Ｒ２／Ｒ１である。差分を表す差分パラメータはＲ１´−Ｒ２´とする。
【０１３９】
１頁目（差分パラメータは約０．５６）、２頁目（差分パラメータは０．４）、４頁目（差分パラメータは約０．５６）、および５頁目（差分パラメータは約０．５６）は差分パラメータが閾値より大きい。そのため、１頁目、２頁目、４頁目、および５頁目の原稿画像については、自動的にそれぞれの最大の確度値を有する方向に応じた回転処理が施される。そして、各グループのプレビュー画像には、上記１頁目、２頁目、４頁目および５頁目の原稿画像は含まれない。
【０１４０】
図１８は、本実施形態において最大の確度値が第１〜第４方向である各グループのプレビュー画像を示す図である。確度が１位である方向が第１方向である原稿画像は１頁目の原稿画像のみである。しかし、１頁目の原稿画像は最も大きな確度値と２番目に大きな確度値との差の大きさを示す差分パラメータが閾値より大きいため自動的に回転処理されグループ分けされないため、確度が１位である方向が第１方向である第１グループに属する原稿画像はない。そのためプレビュー画像４３０ａも実際には作成されず、第２グループの処理へと移る。
【０１４１】
確度が１位である方向が第２方向である原稿画像は４頁目、５頁目、６頁目の原稿画像である。しかし、４頁目、５頁目の原稿画像は最も大きな確度値と２番目に大きな確度値との差の大きさを示す差分パラメータが閾値より大きいため自動的に回転処理されグループ分けされないため、確度が１位である方向が第２方向である第２グループに属する原稿画像は６頁目の原稿画像３３６のみとなる。そして、６頁目の原稿画像についてプレビュー画像４３０ｂが作成され、プレビュー表示される。
【０１４２】
確度が１位である方向が第３方向である原稿画像は２頁目、３頁目の原稿画像である。しかし、２頁目の原稿画像は最も大きな確度値と２番目に大きな確度値との差の大きさを示す差分パラメータが閾値より大きいため自動的に回転処理されグループ分けされないため、確度が１位である方向が第３方向である第３グループに属する原稿画像は３頁目の原稿画像３３３のみとなる。そして、３頁目の原稿画像についてプレビュー画像４３０ｃが作成され、プレビュー表示される。
【０１４３】
確度が１位である方向が第４方向である原稿画像は、本実施形態では、存在しない。そのためプレビュー画像４３０ｄも実際には作成されず、処理は終了する。
【０１４４】
図１９は、本実施形態の処理の流れを示したフローチャートである。図１９のＳ５０〜Ｓ５１は図６のＳ１〜Ｓ２と同様であり、図１９のＳ５５〜Ｓ６６は図６のＳ３〜Ｓ１４と同一である。それゆえ、Ｓ５０〜Ｓ５１およびＳ５５〜Ｓ６６の詳細についてはここでは省略する。
【０１４５】
図１９のフローにおいて、Ｓ５１の後、図示しない判定部は、第１〜第４方向の各々の確度値のうちで最も大きな確度値をＲ１とし、２番目に大きな確度値をＲ２とし、Ｒ１およびＲ２を正規化する（Ｓ５２）。ここで、Ｒ１を正規化した値をＲ１´とし、Ｒ２を正規化した値をＲ２´とする。なお、Ｒ１´＝Ｒ１／Ｒ１であり、Ｒ２´＝Ｒ２／Ｒ１である。そして、判定部は、Ｒ１´−Ｒ２´≦Ｔｅであるか否かを判定する（Ｓ５３）。なお、Ｔｅは閾値であり、例えば０．５が設定される。
【０１４６】
Ｓ５３においてＲ１´−Ｒ２´≦Ｔｅでないと判定された原稿画像について、回転処理部２３は確度値の大きさが１位である方向が第２基準方向となるように原稿画像に対して自動的に回転処理を行う（Ｓ５４）。そして、Ｓ５３においてＲ１´−Ｒ２´≦Ｔｅと判定された原稿画像についてのみグループ分けが行われ（Ｓ５５）、表示制御部２２はグループ毎にプレビュー画像を表示し（Ｓ５９）、利用者に対して回転処理の要否のコマンドおよび回転角度の入力を促す。そして、回転処理部２３は、利用者に選択された指示マークの方向が第２基準方向となるように、原稿画像に対して回転処理を施す（Ｓ６３またはＳ６４）。
【０１４７】
なお、図１９の手順において、Ｓ５４のＲ１´−Ｒ２´は、最も大きな確度値と２番目に大きな確度値との差の大きさを表す差分パラメータに該当する。それゆえ、図１９の手順によれば、上記差分パラメータが閾値より大きい場合はプレビュー画像を表示せずに自動的に回転処理を行い、上記差分パラメータが閾値以下の場合はプレビュー画像を表示する処理を実現していることになる。なお、上記差分パラメータは、Ｒ１´−Ｒ２´に限定されるものではなく、Ｒ１−Ｒ２であっても構わない。
【０１４８】
本実施形態は、最も大きな確度値と２番目に大きな確度値との差の大きさを示す差分パラメータが閾値より大きい原稿画像についてはプレビュー画像を表示せずに自動的に回転処理を行い、上記差分パラメータが閾値以下の原稿画像についてはプレビュー画像を表示するものである。そして、本実施形態では、上記Ｒ１−Ｒ２またはＲ１´−Ｒ２´を差分パラメータとしている。しかし、差分パラメータは、Ｒ１−Ｒ２またはＲ１´−Ｒ２´に限定されるものではなく、例えばＲ１／Ｒ２を上記差分パラメータとしてもよい。これは、Ｒ１／Ｒ２の値は、最も大きな確度値と２番目に大きな確度値との差が大きいほど大きくなる値であり、上記差分パラメータに該当するからである。
【０１４９】
［実施の形態４］
図１４に示す処理手順によれば、情報画像の文字数の少ない原稿画像についてはプレビュー画像を表示するが、互いに第１基準方向の異なる文字数の多い複数の情報画像が示されているＮ−ｕｐ画像についてはプレビュー画像を表示しない。これに対し、図１９に示す処理手順によれば、互いに第１基準方向の異なる複数の情報画像が示されているＮ−ｕｐ画像についてはプレビュー画像を表示するが、情報画像の文字数の少ない原稿画像についてはプレビュー画像を表示しない。
【０１５０】
そこで、図１４の処理手順と図１９の処理手順とを組み合わせれば、情報画像の文字数の少ない原稿画像および互いに第１基準方向の異なる複数の情報画像が示されているＮ−ｕｐ画像の両方のプレビュー画像を漏らすことなく表示できる。
【０１５１】
以下では、図１４の処理手順と図１９の処理手順を組み合わせた場合の処理内容について説明する。
【０１５２】
図２０は、図１４の処理手順と図１９の処理手順を組み合わせた場合の処理の流れを示したフローチャートである。ただし、ここでは図１９の処理における差分パラメータをＲ１／Ｒ２としている。図２０のＳ７０〜Ｓ７１は図６のＳ１〜Ｓ２と同様であり、図２０のＳ７４〜Ｓ８５は図６のＳ３〜Ｓ１４と同一である。それゆえ、Ｓ７０〜Ｓ７１およびＳ７４〜Ｓ８５の詳細についてはここでは省略する。
【０１５３】
図２０のフローにおいて、Ｓ７１の後、図示しない判定部は、第１〜第４方向の各々の確度値のうちで最も大きな確度値をＲ１とし、２番目に大きな確度値をＲ２とし、Ｒ１≦ＴａまたはＲ１／Ｒ２≦Ｔｃの条件が満たされているか否かを各原稿画像について判定する（Ｓ７２）。
【０１５４】
Ｓ７２においてＲ１≦ＴａおよびＲ１／Ｒ２≦Ｔｃの両条件を満たさないと判定された原稿画像について、回転処理部２３は確度値の大きさが１位である方向が第２基準方向となるように原稿画像に対して自動的に回転処理を行う（Ｓ７３）。そして、Ｓ７２においてＲ１≦ＴａまたはＲ１／Ｒ２≦Ｔｃの条件が満たされると判定された原稿画像についてのみグループ分けが行われ（Ｓ７４）、表示制御部２２はグループ毎にプレビュー画像を表示し（Ｓ７８）、利用者に対して回転処理の要否のコマンドおよび回転角度の入力を促す。そして、回転処理部２３は、利用者に選択された指示マークの方向が第２基準方向となるように、原稿画像に対して回転処理を施す（Ｓ８２またはＳ８３）。
【０１５５】
［実施の形態５］
本実施の形態は、第１〜第４方向のうちで最も確度値の高い方向が第２基準方向となるように仮回転処理を施した原稿画像のプレビュー画像を表示装置１１に表示させる形態である。なお、第２基準方向とは、原稿画像における地から天へ向けた方向であって、表示装置１１の表示画面の天地方向における地から天へ向けた方向でもある。
【０１５６】
この形態によれば、最も確度値の大きな方向が第２基準方向となるように原稿画像に本回転処理を施した場合に原稿画像がどのような形態になるのかを、本回転処理の前に上記プレビュー画像によって利用者に事前確認させることができる。
【０１５７】
例えば、図２１は、図２（ａ）の原稿画像３００に対応するプレビュー画像４００ｆであって、原稿画像３００に１８０°の回転角度で仮回転処理を施した画像を示すプレビュー画像を示す図である。これにより、プレビュー画像４００ｆに示される情報画像の第１基準方向（情報画像の地から天へ向けた方向）は、第２基準方向（表示画面の地から天へ向けた方向）に一致するようになっている。このようなプレビュー画像４００ｆを表示する場合、最も確度値の大きな方向が第２基準方向となるように回転処理を行う場合の処理後の画像を事前確認できる。そのため、プレビュー表示される原稿画像は、第１基準方向が第２基準方向に一致している（すなわち利用者が望む原稿画像の向きになっている）可能性が高い。それゆえ、利用者が原稿画像の向きを確認することが容易になり、また、０°以外の回転角度の回転処理を指示する機会が少なくなり、利用者の手間を軽減できる。
【０１５８】
図２２は、本実施形態の処理の流れを示したフローチャートである。図２２のＳ９１〜Ｓ９６は図６のＳ１〜Ｓ６と同様であり、図２０のＳ９８〜Ｓ１０５は図６のＳ７〜Ｓ１４と同一である。それゆえ、Ｓ９１〜Ｓ９６およびＳ９８〜Ｓ１０５の詳細についてはここでは省略する。
【０１５９】
図２２のフローにおいて、Ｓ９６の後、表示制御部２２は、Ｓ９６にて作成された第１〜第４方向の指示マークとＳ９５にて間引かれた後の原稿画像とに対して、第１〜第４方向のうちで最も確度値の大きな方向が第２基準方向となるように仮回転処理を行う（Ｓ９７）。そして、表示制御部２２は、仮回転処理後の指示マークと原稿画像とを重ねて示したプレビュー画像を表示装置１１に表示する（Ｓ９８）。その後、Ｓ９８〜Ｓ１０５の流れについては実施の形態１のＳ７〜Ｓ１４と同様である。利用者によって指示マークが選択された場合（Ｓ１００にてＹｅｓ）、改めて間引き処理前の原稿画像に対して選択された指示マークに対応する回転処理が施される（Ｓ１０２またはＳ１０３）。またこの場合も、表示制御部２２は、原稿画像の仮回転処理を行う前になされたグループ分けにしたがって、上記グループ毎に仮回転処理後の原稿画像を示すプレビュー画像を表示装置１１に表示する。
【０１６０】
本実施形態は、プレビュー表示の段階（Ｓ９８）では、間引かれた後の原稿画像を仮の処理として回転処理する形態であるが、これに限らず、プレビュー表示をする前段階で間引かれる前の原稿画像に対して最も確度値の大きな方向が第２基準方向となるように回転処理を施し、回転処理後の原稿画像に対して間引き処理、指示マークの形成処理を行い、回転処理後の原稿画像に対応するプレビュー表示を行い、利用者に確認を促し、更なる処理の指示を受け付けてもよい。
【０１６１】
なお、以上にて説明した実施の形態１〜５において、制御部１３が、原稿サイズおよび原稿の方向（例えば、Ａ４横置きかＡ４縦置きか、あるいは、ＡＤＦ（Auto Document Feeder）を用いる場合は用紙サイズが混在した原稿か等）を検知し、原稿サイズまたは方向が揃っていると判定されるときは、表示装置１１にプレビュー画像を表示させずに、そのまま処理を終了してもよい。これは、例えば、Ａ４縦書きの原稿にＡ４横書きの表や図が混在している場合が想定され、このような場合回転処理は不要だからである。
【０１６２】
なお、原稿サイズの検知は以下のように行われる。原稿台に原稿を置いて読み込む場合、例えば、画像入力装置内に配置されたフォトトランジスタなどの光電変換素子により、原稿台に置かれた、主走査方向、副走査方向の原稿サイズを検知する方法や、操作パネルより、ユーザにて選択された原稿サイズを方法が用いられる。また、ＡＤＦより原稿を読み込む場合、例えば、画像入力装置内に備えられたＣＣＤ（Charge Coupled Device ）などのイメージセンサにより、読み取られた主走査方向および副走査方向の画像領域（画素数）より、原稿サイズを検知する。
【０１６３】
［画像形成装置について］
次に、図１の画像処理装置１０の変形例である画像処理装置１０ａを備えた画像形成装置１００について説明する。図２３は、画像形成装置（デジタル複写機または複合機）１００を示すブロック図である。なお、複合機とは、コピー機能・プリンタ機能・ファクシミリ送信機能・scan to e-mail機能等を備える多機能装置である。
【０１６４】
画像入力装置１０１ａは、ＣＣＤ（Charge Coupled Device）ラインセンサからなり、原稿から反射してきた光をＲ、Ｇ、Ｂ（Ｒ：赤・Ｇ：緑・Ｂ：青）に色分解された電気信号に変換する。画像入力装置１０１ａにより生成されたカラー画像信号（ＲＧＢアナログ信号）は、Ａ／Ｄ（アナログ・デジタル）変換部５１ａにてデジタル信号に変換され、シェーディング補正部５２ａにて画像入力装置１０１ａの照明系、結像系、撮像系で生じる各種の歪みが取り除かれる。その後、入力処理部５３ａにおいてＲＧＢ信号のそれぞれに対してγを補正する処理などが施される。
【０１６５】
入力処理部５３ａから出力されたデータは、送受信部／記憶部６０ａに引き渡される。そして、確度決定部２１ａは、送受信部／記憶部６０ａにて保存された画像データ（読取画像のデータ）を用いて、原稿画像３００の第１方向〜第４方向に対する確度値を決定する。また、表示制御部２２ａは、確度決定部２１ａから原稿画像３００のデータを取得し、この原稿画像３００のデータおよび上記確度値に基づいて、指示マーク５０１〜５０４の重ねられたプレビュー画像４００を作成し、プレビュー画像４００を表示装置１１ａに表示させる。なお、表示装置１１ａは画像形成装置１００の操作パネルに設置された液晶ディスプレイ等の画像を表示する装置である。
【０１６６】
また、表示制御部２２ａは、指示マーク５０１〜５０４のうちのいずれかが利用者に選択されると、選択された指示マークを回転処理部２３ａに伝達する。そして、回転処理部２３ａは、記憶部１２に保存されている原稿画像３００のデータを読み出し、選択された指示マークに基づいて回転角度を設定した上で原稿画像３００に対して回転処理を行う。さらに、回転処理部２３ａは、回転処理後の原稿画像３００（ＲＧＢ信号）を送受信部／記憶部６０ａに上書き保存すると共に色補正部５４ａに送信する。
【０１６７】
その後、色補正部５４ａは、回転処理部２３ａから送られてきたＲＧＢ信号を、ＲＧＢの補色であるＣＭＹ（Ｃ：シアン・Ｍ：マゼンタ・Ｙ：イエロー）信号に変換すると共に色再現性を高める処理を施す。さらに、ＣＭＹ信号は、黒生成／下色除去部５５ａにてＣＭＹＫ（Ｋ：黒）４色信号に変換される。
【０１６８】
空間フィルタ部５６ａではＣＭＹＫ信号に対して強調処理や平滑化処理がなされ、中間調生成部５７ａでは画像を出力するための階調再現処理がなされる。
【０１６９】
一方、領域分離処理部５８ａは、画像データの各画素が黒文字、色文字、網点、印画紙写真（連続階調領域）等のどのような領域に属する画素であるのか判定が行われ、判定結果を示した領域分離データを出力する。領域分離処理部５８ａより出力された領域分離信号は、それぞれ、黒生成／下色除去部５５ａ、空間フィルタ部５６ａ、中間調生成部５７ａに引き渡される。そして、黒生成／下色除去部５５ａ、空間フィルタ部５６ａ、中間調生成部５７ａにおいては、各種領域に応じた適切な処理の切替えが行われる。
【０１７０】
中間調生成部５７ａから出力されるＣＭＹＫ信号は、画像出力装置１０３ａに引き渡され出力画像が形成される。ここで、画像出力装置１０３ａは電子写真方式のプリンタやインクジェット方式プリンタ等の画像をプリントする装置である。
【０１７１】
なお、以上の構成において、確度決定部２１ａは、送受信部／記憶部６０ａから画像データ（読取画像のデータ）を取得しているが、入力処理部５３ａからそのまま取得してもよい。また、以上の構成では、回転処理部２３ａにて回転処理の施された読取画像のデータをＰＤＦファイルフォーマットに変換し、ネットワーク網や通信回線を介して外部接続装置や通信回線へ送信可能となっている。
【０１７２】
さらに、以上の構成では、回転処理部２３ａにて回転処理の施された読取画像のデータをファイリングデータとして管理可能となっている。この場合、上記読取画像のデータは、例えば、ＪＰＥＧ圧縮アルゴリズムに基づいてＪＰＥＧコードに圧縮されて格納される。コピー出力動作やプリント出力動作が指示された場合、ハードディスクからＪＰＥＧコードが引き出され、不図示のＪＰＥＧ伸張部に引き渡され、復号化処理がなされＲＧＢデータに変換される。
【０１７３】
一方、イメージ送信動作の場合はハードディスクからＪＰＥＧコードが引き出され、ネットワーク網や通信回線を介して外部接続装置や通信回線へ向けてデータが伝送される。なお、ファイリングデータの管理やデータの引渡しの動作制御については制御部５９ａが行うものとする。
【０１７４】
［画像読取装置について］
次に、図１の画像処理装置１０の変形例である画像処理装置１０ｂを備えた画像読取装置２００について説明する。図２４は、本実施形態のカラー画像読取装置（スキャナ）に用いられている画像処理装置１０ｂの構成図である。
【０１７５】
画像読取装置２００は、画像入力装置１０１ｂ、画像処理装置１０ｂ、制御部５９ｂ、送受信部／記憶部５８ｂを有している。画像処理装置１０ｂは、Ａ／Ｄ変換部５１ｂ、シェーディング補正部５２ｂ、入力処理部５３ｂ、確度決定部２１ｂ、回転処理部２３ｂ、表示制御部２２ｂを有している。
【０１７６】
画像入力装置１０１ｂ、Ａ／Ｄ変換部５１ｂ、シェーディング補正部５２ｂ、入力処理部５３ｂ、確度決定部２１ｂ、回転処理部２３ｂ、表示制御部２２ｂの処理内容は、各々、図２１の画像入力装置１０１ａ、Ａ／Ｄ変換部５１ａ、シェーディング補正部５２ａ、入力処理部５３ａ、確度決定部２１ａ、回転処理部２３ａ、表示制御部２２ａの処理内容と同様である。
【０１７７】
画像処理装置１０ｂにおいて上記各処理が施された後のＲＧＢの画像信号はコンピュータやハードディスク、ネットワークなどへ出力される。また、表示制御部２２ｂは、指示マーク５０１〜５０４の重ねられたプレビュー画像４００を作成し、作成したプレビュー画像４００を表示装置に表示させる。なお、この表示装置は、画像読取装置２００とは別体の表示パネルであってもよいし、画像読取装置２００に備えられた表示パネルであってもよい。
【０１７８】
［画像入力装置について］
次に、上述した画像入力装置１０１ａ・１０１ｂについて説明する。なお、画像入力装置１０１ａと画像入力装置１０１ｂとは同じ構成であるため、以下では、画像入力装置１０１ａと画像入力装置１０１ｂをまとめて「画像入力装置１０１」として説明する。
【０１７９】
図２５は、画像入力装置１０１の構成を示す模式図である。画像入力装置１０１は、上部筐体５１０で構成される原稿搬送部、下部筐体５６０で構成されるスキャナ部などを備える。上部筐体５１０には、原稿トレイ５１１に載置された原稿の検知を行う原稿セットセンサ５１４、原稿を１枚ずつ搬送するための呼込みローラ５１２、原稿の画像を読み取るために原稿を搬送する搬送ローラ５１３ａ・５１３ｂ、原稿の排出を行う原稿排出ローラ５０、排出された原稿が載せられる排出トレイ５６６、排出される原稿を検知する原稿排出センサ５６７などが設けられている。搬送ローラ５１３ｂは、用紙の方向を整合するための整合ローラとして機能するものである。搬送ローラ５１３ｂの駆動軸には電磁クラッチ（不図示）が備えられている。そして、電磁クラッチを制御する制御回路（不図示）によって、駆動モータ（図示せず）から搬送ローラ５１３ｂへの駆動力の伝達が制御される。原稿のない状態では、搬送ローラ５１３ｂは停止している。原稿の先端が給送タイミングセンサ５１５に接触し、このセンサから上記制御回路に所定の信号が伝達されたときに、原稿トレイ５１１から排出トレイ５６６へ向けた方向に原稿が搬送されるように搬送ローラ５１３ｂは回転を開始する。なお、搬送ローラ５１３ｂは、上流側より搬送された原稿の先端が停止状態の搬送ローラ５１３ｂのニップ部に突き当たって当該原稿に撓みが形成された後に回転を開始するように設定される。これにより、搬送ローラ５１３ｂのニップ部により原稿の先端が搬送方向に直角となるように整合される。
【０１８０】
下部筐体５６０には、載置台５６１の下面に沿って平行に往復移動する走査ユニット５６２・５６３、結像レンズ５６４、光電変換素子であるＣＣＤラインセンサ５６５、排出トレイ５６６などが設けられている。
【０１８１】
走査ユニット５６２は、原稿トレイ５１１から搬送される原稿、あるいは、載置台５６１に載置された原稿に光を照射するための光源５６２ａ（例えば、ハロゲンランプなど）、原稿にて反射された光を所定の光路に導くためのミラー５６２ｂなどを備えている。また、走査ユニット５６３は、原稿にて反射され且つミラー５６２ｂから導かれた光をＣＣＤラインセンサ５６５に導くためのミラー５６３ａ・５６３ｂを備えている。
【０１８２】
結像レンズ５６４は、走査ユニット５６３から導かれた反射光をＣＣＤラインセンサ５６５上の所定の位置に結像させる。ＣＣＤラインセンサ５６５は、結像された光像を光電変換して電気信号を出力する。すなわち、原稿（例えば、原稿の表面）から読み取ったカラー画像に基づいて、Ｒ（赤）、Ｇ（緑）、Ｂ（青）の各色成分に色分解したデータを画像処理装置１０ａまたは１０ｂへ出力する。
【０１８３】
［プログラムについて］
本実施形態は、コンピュータに実行させるためのプログラムコード（実行形式プログラム、中間コードプログラム、ソースプログラム）を記録したコンピュータ読み取り可能な記録媒体に、図１の確度決定部２１、表示制御部２２、回転処理部２３にて実行される処理を示すプログラムを記録するものとすることもできる。この結果、確度決定部２１、表示制御部２２、回転処理部２３にて実行される処理を行うためのプログラムを記録した記録媒体を持ち運び自在に提供することができる。
【０１８４】
なお、本実施の形態では、この記録媒体としては、マイクロコンピュータで処理が行われるために図示していないメモリ、例えばＲＯＭのようなものがプログラムメディアであっても良いし、また、図示していないが外部記憶装置としてプログラム読み取り装置が設けられ、そこに記録媒体を挿入することでプログラムが読み取られるようなプログラムメディアであっても良い。いずれの場合においても、格納されているプログラムコードはマイクロプロセッサがアクセスして実行させる構成であっても良いし、あるいは、いずれの場合もプログラムコードを読み出し、読み出されたプログラムコードがマイクロコンピュータの図示されていないプログラム記憶エリアにダウンロードされて、そのプログラムコードが実行される方式であってもよい。このダウンロード用のプログラムは予め本体装置に格納されているものとする。
【０１８５】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムコードを担持する媒体であっても良い。
【０１８６】
また、本実施の形態は、インターネットを含む通信ネットワークを接続可能なシステム構成であり、上記記録媒体は、通信ネットワークからプログラムコードをダウンロードするように流動的にプログラムコードを担持する媒体であってもよい。なお、このように通信ネットワークからプログラムコードをダウンロードする場合には、そのダウンロード用のプログラムは予め本体装置に格納しておくか、あるいは別な記録媒体からインストールされるものであってもよい。また、本発明は、上記プログラムコードが電子的な伝送で具現化された、搬送波に埋め込まれたコンピュータデータ信号の形態でも実現され得る。上記記録媒体のプログラムがデジタルカラー画像形成装置やコンピュータシステムに備えられるプログラム読み取り装置により読み取られることで、上記の確度決定部２１、表示制御部２２、回転処理部２３を実現することが可能となる。
【０１８７】
コンピュータシステムは、フラットベッドスキャナ・フィルムスキャナ・デジタルカメラなどの画像入力装置、所定のプログラムがロードされることにより上記画像処理方法など様々な処理が行われるコンピュータ、コンピュータの処理結果を表示するＣＲＴディスプレイ・液晶ディスプレイなどの画像表示装置およびコンピュータの処理結果を紙などに出力するプリンタより構成される。さらには、ネットワークを介してサーバーなどに接続するための通信手段としてのネットワークカードやモデムなどが備えられる。
【０１８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１８９】
本発明の画像処理装置は、原稿を読み取って得られる画像データを処理する装置に好適である。また、この画像処理装置は、複合機、複写機、スキャナ専用機、ファクシミリ装置、端末装置に備えられるものである。また、本発明の画像処理装置は、ネットワーク等により入力された画像データを処理する装置（例えばコンピュータ装置）としても利用できる。
【図面の簡単な説明】
【０１９０】
【図１】本発明の画像処理装置の一実施形態を示すブロック図である。
【図２】（ａ）は、原稿から読み取られた原稿画像を示す図であり、（ｂ）は、（ａ）の原稿画像に基づいて生成されたプレビュー画像を示す図である。
【図３】（ａ）は、第１方向に向いている文字と第２方向に向いている文字とが混在した情報画像を示した原稿画像について、第１〜第４方向に対する確度値を出力した結果を示す図であり、（ｂ）は、第１方向に向いている文字のみが記された情報画像を示した原稿画像について、第１〜第４方向に対する確度値を出力した結果を示す図であり、（ｃ）は、文字数の少ない情報画像を示す原稿画像について、第１〜第４方向に対する確度値を出力した結果を示す図である。
【図４】指示マークおよび選択マークの位置決定手法を説明するための図である。
【図５】（ａ）は、確度値順位と濃度値を示す記号との対応関係を示したテーブルであり、（ｂ）は、（ａ）に示される記号と濃度値との対応関係を示した図であり、（ｃ）は、（ａ）に示される記号と濃度演算式との対応関係を示したテーブルである。
【図６】実施の形態１の処理手順を示したフローチャートである。
【図７】図２（ａ）の原稿画像に基づいて生成されたプレビュー画像であり、互いにサイズの異なる指示マークの形成されたプレビュー画像を示した図である。
【図８】（ａ）は、確度値順位と指示マークのサイズの算出式との対応関係を示したテーブルである。（ｂ）は、（ａ）に示される算出式に含まれる記号と倍率との対応関係を示したテーブルである。（ｃ）は、（ａ）に示される記号と倍率演算式との対応関係を示した図である。
【図９】１頁目〜６頁目の６つの原稿画像について、それぞれの原稿画像の各方向の確度を示す図である。
【図１０】グループ分けされた原稿画像のグループ毎に表示装置に表示されるプレビュー画像を示す図である。
【図１１】最も大きな確度値が閾値を超えている場合にプレビュー画像を表示しない処理の内容を説明するための図である。
【図１２】最も大きな確度値が閾値以下の場合にプレビュー画像を表示する処理の内容を説明するための図である。
【図１３】実施の形態２において最大の確度値が第１〜第４方向である各グループのプレビュー画像を示す図である。
【図１４】実施の形態２の処理の流れを示したフローチャートである。
【図１５】最も大きな確度値と２番目に大きな確度値との差分が閾値以下の場合にプレビュー画像を表示する処理の内容を説明するための図である。
【図１６】最も大きな確度値と２番目に大きな確度値との差分が閾値を超えている場合にプレビュー画像を表示しない処理の内容を説明するための図である。
【図１７】１頁目〜６頁目の６つの原稿画像について、それぞれの原稿画像の各方向の確度を示す図である。
【図１８】実施の形態３において最大の確度値が第１〜第４方向である各グループのプレビュー画像を示す図である。
【図１９】実施の形態３の処理の流れを示したフローチャートである。
【図２０】実施の形態４の処理の流れを示したフローチャートである。
【図２１】仮回転処理の施されたプレビュー画像を示す図である。
【図２２】実施の形態５の処理の流れを示したフローチャートである。
【図２３】本発明の画像形成装置の一実施形態を示すブロック図である。
【図２４】本発明の画像読取装置の一実施形態を示すブロック図である。
【図２５】図２３および図２４に示される画像入力装置の構成を示した図である。
【符号の説明】
【０１９１】
１０    画像処理装置
１１    表示装置
１２    記憶部
１３    制御部
２１    確度決定部
２２    表示制御部
２３    回転処理部（処理部）
１００    画像形成装置
１０３ａ  画像出力装置
２００    画像読取装置
３００    原稿画像
３０１    情報画像
３１１    原稿画像（原稿画像のサムネイル画像）
４００、４１０ａ〜４１０ｄ    プレビュー画像
５０１〜５０４、５１１〜５１４    指示マーク（方向識別標識）
７００、７１１    選択マーク（画像選択標識）
【図１】
2010124068.tif 000003
【図２】
2010124068.tif 000004
【図３】
2010124068.tif 000005
【図４】
2010124068.tif 000006
【図５】
2010124068.tif 000007
【図６】
2010124068.tif 000008
【図７】
2010124068.tif 000009
【図８】
2010124068.tif 000010
【図９】
2010124068.tif 000011
【図１０】
2010124068.tif 000012
【図１１】
2010124068.tif 000013
【図１２】
2010124068.tif 000014
【図１３】
2010124068.tif 000015
【図１４】
2010124068.tif 000016
【図１５】
2010124068.tif 000017
【図１６】
2010124068.tif 000018
【図１７】
2010124068.tif 000019
【図１８】
2010124068.tif 000020
【図１９】
2010124068.tif 000021
【図２０】
2010124068.tif 000022
【図２１】
2010124068.tif 000023
【図２２】
2010124068.tif 000024
【図２３】
2010124068.tif 000025
【図２４】
2010124068.tif 000026
【図２５】
2010124068.tif 000027